(57)【特許請求の範囲】
【請求項１】
有色の有色トナー及び無色のクリアトナーが搭載され、前記有色トナーを記録媒体に付着させるための有色版データと、前記クリアトナーを記録媒体に付着させるためのクリアトナー版データと、に基づいて記録媒体に画像を形成する印刷装置に接続された情報処理装置であって、
記録媒体に付与する表面効果の種類に対応する濃度値と前記表面効果を付与する前記記録媒体における領域としての第１領域を特定する光沢制御版データと、記録媒体に形成する透明画像の第２領域及び前記透明画像の濃度値を特定するクリア版データと、に基づいて、前記第１領域と前記第２領域とが重なる重複領域について、前記第１領域と前記第２領域の何れを優先するかを示す優先情報を、前記クリア版データ及び前記光沢制御版データの少なくとも一方に付与する優先情報付与部と、
前記光沢制御版データと前記クリア版データとに基づいて、前記クリアトナー版データを生成し、前記光沢制御版データ及び前記クリア版データにおける前記重複領域については、前記第１領域及び前記第２領域の内、前記優先情報によって優先とされた領域の濃度値を用い、前記重複領域以外の領域については、前記第１領域及び前記第２領域の内、前記濃度値の規定されている領域の濃度値を用いて、前記クリアトナー版データを生成する、クリアトナー版生成部と、
を備えた情報処理装置。
【請求項２】
前記光沢制御版データは、記録媒体に付与する表面効果の種類に対応する濃度値と前記表面効果を付与する前記記録媒体における領域としての第１領域を、描画領域毎に特定し、
前記クリア版データは、記録媒体に形成する透明画像の第２領域及び前記透明画像の濃度値を、描画領域毎に特定し、
前記優先情報付与部は、
前記光沢制御版データ及び前記クリア版データにおける前記第１領域と前記第２領域との前記重複領域について、前記光沢制御版データによって特定される描画領域及び前記クリア版データによって特定される描画領域の少なくとも一方の描画領域毎に、前記第１領域と前記第２領域の何れを優先するかを示す優先情報を、前記クリア版データ及び前記光沢制御版データの少なくとも一方に付与する、
請求項１に記載の情報処理装置。
【請求項３】
前記光沢制御版データは、記録媒体に付与する表面効果の種類に対応する濃度値と前記表面効果を付与する前記記録媒体における領域としての第１領域を、画素毎に特定し、
前記クリア版データは、記録媒体に形成する透明画像の第２領域及び前記透明画像の濃度値を、画素毎に特定し、
前記優先情報付与部は、
前記光沢制御版データ及び前記クリア版データにおける前記第１領域と前記第２領域との前記重複領域について、前記光沢制御版データ及び前記クリア版データの少なくとも一方の画素毎に、前記第１領域と前記第２領域の何れを優先するかを示す優先情報を付与する、
請求項１に記載の情報処理装置。
【請求項４】
ユーザから、前記優先情報を受け付ける受付部を更に備え、
前記優先情報付与部は、
前記光沢制御版データ及び前記クリア版データにおける前記重複領域について、受け付けた前記優先情報を、前記クリア版データ及び前記光沢制御版データの少なくとも一方に付与する、
請求項１〜請求項３の何れか１項に記載の情報処理装置。
【請求項５】
前記クリア版データ及び前記光沢制御版データに基づいて、印刷結果を推定した画像であるプレビュー画像を生成するプレビュー画像生成部と、
前記プレビュー画像と、前記優先情報を設定するための入力画面と、を表示する表示部と、
を更に備えた、請求項１〜請求項４の何れか１項に記載の情報処理装置。
【請求項６】
有色の有色トナー及び無色のクリアトナーが搭載され、前記有色トナーを記録媒体に付着させるための有色版データと、前記クリアトナーを記録媒体に付着させるためのクリアトナー版データと、に基づいて記録媒体に画像を形成する印刷装置と、前記印刷装置に接続された情報処理装置と、を含む情報処理システムであって、
前記情報処理装置は、
記録媒体に付与する表面効果の種類に対応する濃度値と前記表面効果を付与する前記記録媒体における領域としての第１領域を特定する光沢制御版データと、記録媒体に形成する透明画像の第２領域及び前記透明画像の濃度値を特定するクリア版データと、に基づいて、前記第１領域と前記第２領域とが重なる重複領域について、前記第１領域と前記第２領域の何れを優先するかを示す優先情報を、前記クリア版データ及び前記光沢制御版データの少なくとも一方に付与する優先情報付与部と、
前記光沢制御版データと前記クリア版データとに基づいて、前記クリアトナー版データを生成し、前記光沢制御版データ及び前記クリア版データにおける前記重複領域については、前記第１領域及び前記第２領域の内、前記優先情報によって優先とされた領域の濃度値を用い、前記重複領域以外の領域については、前記第１領域及び前記第２領域の内、前記濃度値の規定されている領域の濃度値を用いて、前記クリアトナー版データを生成する、クリアトナー版生成部と、
を備える、情報処理システム。
【請求項７】
有色の有色トナー及び無色のクリアトナーが搭載され、前記有色トナーを記録媒体に付着させるための有色版データと、前記クリアトナーを記録媒体に付着させるためのクリアトナー版データと、に基づいて記録媒体に画像を形成する印刷装置に接続された情報処理装置で実行する情報処理方法であって、
記録媒体に付与する表面効果の種類に対応する濃度値と前記表面効果を付与する前記記録媒体における領域としての第１領域を特定する光沢制御版データと、記録媒体に形成する透明画像の第２領域及び前記透明画像の濃度値を特定するクリア版データと、に基づいて、前記第１領域と前記第２領域とが重なる重複領域について、前記第１領域と前記第２領域の何れを優先するかを示す優先情報を、前記クリア版データ及び前記光沢制御版データの少なくとも一方に付与するステップと、
前記光沢制御版データと前記クリア版データとに基づいて、前記クリアトナー版データを生成し、前記光沢制御版データ及び前記クリア版データにおける前記重複領域については、前記第１領域及び前記第２領域の内、前記優先情報によって優先とされた領域の濃度値を用い、前記重複領域以外の領域については、前記第１領域及び前記第２領域の内、前記濃度値の規定されている領域の濃度値を用いて、前記クリアトナー版データを生成するステップと、
を含む、情報処理方法。
【請求項８】
有色の有色トナー及び無色のクリアトナーが搭載され、前記有色トナーを記録媒体に付着させるための有色版データと、前記クリアトナーを記録媒体に付着させるためのクリアトナー版データと、に基づいて記録媒体に画像を形成する印刷装置に接続されたコンピュータに実行させるためのプログラムであって、
記録媒体に付与する表面効果の種類に対応する濃度値と前記表面効果を付与する前記記録媒体における領域としての第１領域を特定する光沢制御版データと、記録媒体に形成する透明画像の第２領域及び前記透明画像の濃度値を特定するクリア版データと、に基づいて、前記第１領域と前記第２領域とが重なる重複領域について、前記第１領域と前記第２領域の何れを優先するかを示す優先情報を、前記クリア版データ及び前記光沢制御版データの少なくとも一方に付与するステップと、
前記光沢制御版データと前記クリア版データとに基づいて、前記クリアトナー版データを生成し、前記光沢制御版データ及び前記クリア版データにおける前記重複領域については、前記第１領域及び前記第２領域の内、前記優先情報によって優先とされた領域の濃度値を用い、前記重複領域以外の領域については、前記第１領域及び前記第２領域の内、前記濃度値の規定されている領域の濃度値を用いて、前記クリアトナー版データを生成するステップと、
を前記コンピュータに実行させるためのプログラム。
【発明の詳細な説明】
【技術分野】
【０００１】
本発明は、情報処理装置、情報処理システム、情報処理方法、及びプログラムに関する。
【背景技術】
【０００２】
従来、Ｃ（シアン）、Ｍ（マゼンタ）、Ｙ（イエロー）、Ｋ（ブラック）の４色のトナーの他に、色材が入っていない無色のトナーであるクリアトナーを搭載した画像形成装置が存在する。このようなクリアトナーにより形成されたトナー像は、ＣＭＹＫのトナーにより画像が形成された転写紙等の記録媒体上に定着され、この結果、記録媒体の面において視覚的な効果や触覚的な効果（以下、「表面効果」という）が実現される。
【０００３】
クリアトナーを記録媒体にどのように付着させるかによって、実現される表面効果は異なる。単純に光沢を与える表面効果もあれば、光沢を抑制する表面効果もある。また、全面に表面効果を与えるだけでなく、一部だけに表面効果を与えたり、クリアトナーによりテクスチャやウォーターマークをつけたりする表面効果も求められている。また、表面保護を求める場合もある。
【０００４】
トナーの付着量が均一でないために光沢が得られない領域に対して、クリアトナーを用いることで光沢を得る技術が従来から存在している。例えば、特許文献１では光沢を持たせたい領域に、光沢調の表面性と半光沢調の表面性と無光沢調の表面性とで異なる模様の透明トナーを形成することで、光沢調を実現することが開示されている。
【発明の概要】
【発明が解決しようとする課題】
【０００５】
ここで、クリアトナーを用いて文字等の透明画像を形成する場合には、透明画像を形成する領域と、光沢調等の表面効果を実現する領域と、が重なる場合がある。しかしながら、従来では、このようなクリアトナーによる領域の重なりについては、なんら考慮がなされていなかった。
【０００６】
本発明は、上記に鑑みてなされたものであって、クリアトナーを付与する領域が重なる場合であっても、ユーザ所望の印刷画像の形成を容易に実現することができる、情報処理装置、情報処理システム、情報処理方法、及びプログラムを提供することを目的とする。
【課題を解決するための手段】
【０００７】
上述した課題を解決し、目的を達成するために、本発明の情報処理装置は、有色の有色トナー及び無色のクリアトナーが搭載され、前記有色トナーを記録媒体に付着させるための有色版データと、前記クリアトナーを記録媒体に付着させるためのクリアトナー版データと、に基づいて記録媒体に画像を形成する印刷装置に接続された情報処理装置である。本発明の情報処理装置は、優先情報付与部と、クリアトナー版生成部と、を備える。優先情報付与部は、記録媒体に付与する表面効果の種類に対応する濃度値と前記表面効果を付与する前記記録媒体における領域としての第１領域を特定する光沢制御版データと、記録媒体に形成する透明画像の第２領域及び前記透明画像の濃度値を特定するクリア版データと、に基づいて、前記第１領域と前記第２領域とが重なる重複領域について、前記第１領域と前記第２領域の何れを優先するかを示す優先情報を、前記クリア版データ及び前記光沢制御版データの少なくとも一方に付与する。クリアトナー版生成部は、前記光沢制御版データと前記クリア版データとに基づいて、前記クリアトナー版データを生成し、前記光沢制御版データ及び前記クリア版データにおける前記重複領域については、前記第１領域及び前記第２領域の内、前記優先情報によって優先とされた領域の濃度値を用い、前記重複領域以外の領域については、前記第１領域及び前記第２領域の内、前記濃度値の規定されている領域の濃度値を用いて、前記クリアトナー版データを生成する。
【０００８】
本発明の情報処理システムは、有色の有色トナー及び無色のクリアトナーが搭載され、前記有色トナーを記録媒体に付着させるための有色版データと、前記クリアトナーを記録媒体に付着させるためのクリアトナー版データと、に基づいて記録媒体に画像を形成する印刷装置と、前記印刷装置に接続された情報処理装置と、を含む情報処理システムである。情報処理装置は、優先情報付与部と、クリアトナー版生成部と、を備える。優先情報付与部は、記録媒体に付与する表面効果の種類に対応する濃度値と前記表面効果を付与する前記記録媒体における領域としての第１領域を特定する光沢制御版データと、記録媒体に形成する透明画像の第２領域及び前記透明画像の濃度値を特定するクリア版データと、に基づいて、前記第１領域と前記第２領域とが重なる重複領域について、前記第１領域と前記第２領域の何れを優先するかを示す優先情報を、前記クリア版データ及び前記光沢制御版データの少なくとも一方に付与する。クリアトナー版生成部は、前記光沢制御版データと前記クリア版データとに基づいて、前記クリアトナー版データを生成し、前記光沢制御版データ及び前記クリア版データにおける前記重複領域については、前記第１領域及び前記第２領域の内、前記優先情報によって優先とされた領域の濃度値を用い、前記重複領域以外の領域については、前記第１領域及び前記第２領域の内、前記濃度値の規定されている領域の濃度値を用いて、前記クリアトナー版データを生成する。
【０００９】
本発明の情報処理方法は、有色の有色トナー及び無色のクリアトナーが搭載され、前記有色トナーを記録媒体に付着させるための有色版データと、前記クリアトナーを記録媒体に付着させるためのクリアトナー版データと、に基づいて記録媒体に画像を形成する印刷装置に接続された情報処理装置で実行する情報処理方法である。本発明の情報処理方法は、記録媒体に付与する表面効果の種類に対応する濃度値と前記表面効果を付与する前記記録媒体における領域としての第１領域を特定する光沢制御版データと、記録媒体に形成する透明画像の第２領域及び前記透明画像の濃度値を特定するクリア版データと、に基づいて、前記第１領域と前記第２領域とが重なる重複領域について、前記第１領域と前記第２領域の何れを優先するかを示す優先情報を、前記クリア版データ及び前記光沢制御版データの少なくとも一方に付与するステップと、前記光沢制御版データと前記クリア版データとに基づいて、前記クリアトナー版データを生成し、前記光沢制御版データ及び前記クリア版データにおける前記重複領域については、前記第１領域及び前記第２領域の内、前記優先情報によって優先とされた領域の濃度値を用い、前記重複領域以外の領域については、前記第１領域及び前記第２領域の内、前記濃度値の規定されている領域の濃度値を用いて、前記クリアトナー版データを生成するステップと、を含む。
【００１０】
本発明のプログラムは、有色の有色トナー及び無色のクリアトナーが搭載され、前記有色トナーを記録媒体に付着させるための有色版データと、前記クリアトナーを記録媒体に付着させるためのクリアトナー版データと、に基づいて記録媒体に画像を形成する印刷装置に接続されたコンピュータに実行させるためのプログラムである。本発明のプログラムは、記録媒体に付与する表面効果の種類に対応する濃度値と前記表面効果を付与する前記記録媒体における領域としての第１領域を特定する光沢制御版データと、記録媒体に形成する透明画像の第２領域及び前記透明画像の濃度値を特定するクリア版データと、に基づいて、前記第１領域と前記第２領域とが重なる重複領域について、前記第１領域と前記第２領域の何れを優先するかを示す優先情報を、前記クリア版データ及び前記光沢制御版データの少なくとも一方に付与するステップと、前記光沢制御版データと前記クリア版データとに基づいて、前記クリアトナー版データを生成し、前記光沢制御版データ及び前記クリア版データにおける前記重複領域については、前記第１領域及び前記第２領域の内、前記優先情報によって優先とされた領域の濃度値を用い、前記重複領域以外の領域については、前記第１領域及び前記第２領域の内、前記濃度値の規定されている領域の濃度値を用いて、前記クリアトナー版データを生成するステップと、を前記コンピュータに実行させるためのプログラムである。
【発明の効果】
【００１１】
本発明によれば、クリアトナーを付与する領域が重なる場合であっても、ユーザ所望の印刷画像の形成を容易に実現することができる、情報処理装置、情報処理システム、情報処理方法、及びプログラムを提供することができる。
【図面の簡単な説明】
【００１２】
【図１】図１は、実施の形態１の情報処理システムの概略構成例を示すブロック図である。
【図２】図２は、ホスト装置１１の具体的な構成例を示す図である。
【図３】図３は、有色版データの一例を示す説明図である。
【図４】図４は、表面効果の種類の一例を示す図である。
【図５】図５は、光沢制御版データの一例を示す説明図である。
【図６】図６は、クリア版データの一例を示す模式図である。
【図７】図７は、原稿データ生成部の機能的構成を示すブロック図である。
【図８】図８は、表示画面の一例を示す図である。
【図９】図９は、表示画面の一例を示す図である。
【図１０】図１０は、濃度値選択テーブルの一例を示す図である。
【図１１】図１１は、オブジェクト、座標、濃度値との対応関係を示す図である。
【図１２】図１２は、印刷データの構成例を概念的に示す模式図である。
【図１３】図１３は、表面効果を与える第１領域と、透明画像の第２領域と、が重複して設定された場合を示す模式図である。
【図１４】図１４は、表示処理部における画像表示処理の手順を示すシーケンス図である。
【図１５】図１５は、優先情報の付与された光沢制御版データのデータ構造の一例を示す模式図である。
【図１６】図１６は、原稿データの生成処理の手順を示すフローチャートである。
【図１７】図１７は、優先情報付与処理の手順を示す、フローチャートである。
【図１８】図１８は、優先設定処理の手順を示すフローチャートである。
【図１９】図１９は、合成画像の一例を示す模式図である。
【図２０】図２０は、優先情報を入力するための入力画面の一例を示す模式図である。
【図２１】図２１は、ＤＦＥの機能的構成を示す模式図である。
【図２２】図２２は、表面効果選択テーブルのデータ構成を例示する図である。
【図２３】図２３は、プリンタ機の構成を示す模式図である。
【図２４】図２４は、ＤＦＥが実行する処理の手順を示すフローチャートである。
【図２５】図２５は、優先情報の付与された光沢制御版データの、各画素データの一例を示す図である。
【図２６】図２６は、クリアトナー版生成処理の手順を示すフローチャートである。
【図２７】図２７は、情報処理システムの概略構成例を示すブロック図である。
【図２８】図２８は、ＤＦＥの機能的構成を示す模式図である。
【図２９】図２９は、表示処理部を示す機能ブロック図である。
【図３０】図３０は、情報処理システムの概略構成例を示すブロック図である。
【図３１】図３１は、ＤＦＥの機能的構成を示す模式図である。
【図３２】図３２は、優先情報付与処理の手順を示すフローチャートである。
【図３３】図３３は、優先設定処理の手順を示すフローチャートである。
【図３４】図３４は、クリアトナー版データの生成の手順を示すフローチャートである。
【図３５】図３５は、情報処理システムの構成を例示する図である。
【図３６】図３６は、サーバ装置の機能的構成を示すブロック図である。
【図３７】図３７は、ホスト装置を示す機能ブロック図である。
【図３８】図３８は、原稿データの生成処理の手順を示すフローチャートである。
【図３９】図３９は、サーバ装置による原稿データの生成処理の手順を示すフローチャートである。
【図４０】図４０は、ホスト装置及びサーバ装置のハードウェア構成図である。
【図４１】図４１は、クラウド上に２つのサーバを設けたネットワーク構成図である。
【発明を実施するための形態】
【００１３】
以下、添付図面を参照しながら、本発明に係る情報処理装置、情報処理システム、情報処理方法、及びプログラムの実施形態を詳細に説明する。
【００１４】
（実施の形態１）
図１は、本実施の形態に係る情報処理システム１００の概略構成例を示すブロック図である。図１に示すように、情報処理システム１００は、情報処理装置１２、及び印刷装置６０を備える。
【００１５】
情報処理装置１２は、ホスト装置１１、プリンタ制御装置（ＤＦＥ：Ｄｉｇｉｔａｌ  Ｆｒｏｎｔ  Ｅｎｄ）（以下、ＤＦＥと称する）３０、及びインタフェースコントローラ（ＭＩＣ：Ｍｅｃｈａｎｉｓｍ  Ｉ／Ｆ  Ｃｏｎｔｏｒｏｌｌｅｒ）（以下、ＭＩＣと称する場合がある）４０を備える。印刷装置６０は、プリンタ機５０、後処理機７５を備える。
【００１６】
これらの、ホスト装置１１、ＤＦＥ３０、ＭＩＣ４０、及び印刷装置６０は、互いにデータ授受可能に有線または無線の通信回線を介して接続されている。
【００１７】
ホスト装置１１は、例えば、ＰＣ（Ｐｅｒｓｏｎａｌ  Ｃｏｍｐｕｔｅｒ）等で構成され、原稿データ生成部１０、印刷データ生成部２０、及び表示処理部１５等の機能部を含む。なお、本実施の形態では、ホスト装置１１は、原稿データ生成部１０、印刷データ生成部２０、及び表示処理部１５の各機能部を含む構成であるとして説明するが、これらの原稿データ生成部１０、印刷データ生成部２０、及び表示処理部１５の各機能部は、別体として構成（例えば、別のパーソナルコンピュータに搭載）されていてもよく、１つの装置に一体的に設けられた構成に限られない。
【００１８】
また、ホスト装置１１は、インターネット等の通信回線に接続され、通信回線を介してＤＦＥ３０にデータ授受可能に接続された構成であってもよい。
【００１９】
ＤＦＥ３０は、ＭＩＣ４０を介してプリンタ機５０と通信を行い、プリンタ機５０での画像の形成を制御する。また、ＤＦＥ３０には、ＰＣ（Ｐｅｒｓｏｎａｌ  Ｃｏｍｐｕｔｅｒ）等のホスト装置１１が接続され、ＤＦＥ３０は、ホスト装置１１から画像データを受信して、当該画像データを用いて、プリンタ機５０がＣＭＹＫの各トナー及びクリアトナーに応じたトナー像を形成するための画像データを生成する。そして、ＤＦＥ３０は、生成した画像データを、ＭＩＣ４０を介してプリンタ機５０に送信する。
【００２０】
プリンタ機５０には、ＣＭＹＫの各トナーとクリアトナーとが少なくとも搭載されており、各トナーに対して感光体、帯電器、現像器及び感光体クリーナを含む作像ユニット、露光器及び定着機が各々搭載されている。
【００２１】
ここで、クリアトナーとは、色材を含まない透明な（無色の）トナーである。なお、透明（無色）とは、例えば、透過率が７０％以上であることを示す。
【００２２】
プリンタ機５０は、ＭＩＣ４０を介してＤＦＥ３０から送信された画像データに応じて、露光器から光ビームを照射して各トナーに応じたトナー像を感光体上に形成して、これを記録媒体としての紙に転写しこれを定着機によって所定の範囲内の温度（通常温度）での加熱及び加圧で定着させる。これによって記録媒体に画像が形成される。なお、記録媒体としては、合成紙や、再生紙や、ＯＨＰシート、ビニール紙等がある。
【００２３】
図１の例では、後処理機７５は、プリンタ機５０に接続されるグロッサ７０と、グロッサ７０に接続される通常定着後処理装置８０と、通常定着後処理装置８０に接続される低温定着後処理装置９０とを含んで構成される。
【００２４】
グロッサ７０は、ＤＦＥ３０から指定されるオンオフ情報によりオン又はオフが制御され、オンにされた場合に、プリンタ機５０により記録媒体に形成された画像を高温及び高圧で加圧し、その後、冷却して本体から画像が形成された記録媒体を剥離する。これにより記録媒体に形成された画像全体において所定以上のトナーが付着した各画素のトナーの総付着量は均一に圧縮される。
【００２５】
通常定着後処理装置８０には、クリアトナー用の感光体、帯電器、現像器および感光体クリーナを含む作像ユニット、露光器及び当該クリアトナーを定着させるための定着機が搭載されており、通常定着後処理装置８０を用いるためにＤＦＥ３０が生成した後述のクリアトナー版データが入力される。通常定着後処理装置８０は、当該通常定着後処理装置８０が用いるためのクリアトナー版データをＤＦＥ３０が生成した場合にはこれを用いてクリアトナーによるトナー像を形成して、グロッサ７０が加圧した記録媒体上に当該クリアトナー像を重ねて、定着機によって通常の加熱または加圧で記録媒体に定着させる。
【００２６】
低温定着後処理装置９０には、クリアトナー用の感光体、帯電器、現像器および感光体クリーナを含む作像ユニット、露光器及び当該クリアトナーを定着させるための定着機が搭載されており、低温定着後処理装置９０を用いるためにＤＦＥ３０が生成した後述のクリアトナー版データが入力される。低温定着後処理装置９０は、当該低温定着後処理装置９０が用いるためのクリアトナー版データをＤＦＥ３０が生成した場合にはこれを用いてクリアトナーによるトナー像を形成して、記録媒体上に当該クリアトナー像を重ねて、定着機によって通常より低い加熱または加圧で記録媒体に定着させる。
【００２７】
図２には、ホスト装置１１の具体的な構成の一例を示した。
【００２８】
図２に示すように、ホスト装置１１は、入力部９９Ａ、操作部９９Ｂ、出力部９９Ｃ、表示部９９Ｄ、及び制御部１００を備える。
【００２９】
入力部９９Ａは、パーソナルコンピュータ等の外部装置から、有色版データを受け付ける。そして、受け付けた有色版データを、制御部１００へ送信する。なお、有色版データは、制御部１００で生成してもよい。有色版データは、有色の有色トナーを記録媒体に付着させるためのデータである。例えば、有色版データは、有色トナーを用いて印刷する有色画像を描画領域毎に示す画像データである。なお、有色版データの詳細は後述する。
【００３０】
なお、本実施の形態では、記録媒体とは、有色トナーやクリアトナー等を付着させる事で画像を形成する対象の媒体を示す。記録媒体には、例えば、紙、合成紙、ビニール紙等が挙げられるが、これらに限られない。
【００３１】
有色トナーとは、ＣＭＹＫ等の各色材を含むトナーである。本実施の形態では、例えば、有色トナーとして、ＣＭＹＫの各々の色材を含む有色トナーを用いる場合を説明する。
【００３２】
クリアトナーとは、色材を含まない透明な（無色の）トナーである。なお、透明（無色）とは、例えば、透過率が７０％以上であることを示す。
【００３３】
操作部９９Ｂは、各種操作指示を行うときにユーザによって操作される入力デバイスである。操作部９９Ｂとしては、例えば、ボタン、リモコン受信部、および、ＩＣカードなどから情報を読取るカードリーダなどが挙げられる。なお、操作部９９Ｂがキーボードを備えるように構成してもよい。
【００３４】
出力部９９Ｃは、ＤＦＥ３０との間で通信を行うためのインタフェース装置である。表示部９９Ｄは、各種情報を表示する表示デバイスであり、公知の表示デバイスを用いる。
【００３５】
制御部１００は、ホスト装置１１全体を制御する手段であり、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）などを含んで構成されるコンピュータである。
【００３６】
本実施の形態では、図２に示すように、ホスト装置１１は、制御部１００の有する機能部として、上記原稿データ生成部１０、印刷データ生成部２０、及び表示処理部１５等を有する。これらの機能部、及び各機能部に含まれる各機能は、制御部１００のＣＰＵがＲＯＭ等に格納された各種プログラムをＲＡＭ上に展開して実行することにより実現される。また、これらの機能のうちの少なくとも一部を個別の回路（ハードウェア）で実現することも可能である。
【００３７】
原稿データ生成部１０は、有色版データを受け付ける。そして、原稿データ生成部１０は、有色版データと、光沢制御版データと、クリア版データと、を含む原稿データを生成し、印刷データ生成部２０及び表示処理部１５へ出力する。なお、原稿データ生成部１０では、この有色版データを作成してもよい。
【００３８】
ここで、原稿データ生成部１０が生成する、原稿データについて、詳細に説明する。
【００３９】
原稿データ生成部１０では、予めインストールされた画像処理アプリケーション（後述する画像処理部１２０、版データ生成部１２２）により原稿データを生成する。このような画像処理アプリケーションでは、ＲＧＢ版やＣＭＹＫ版などの各色版における各色の濃度の値（濃度値という）を画素毎に規定した画像データに対して、特色版の画像データを取り扱うことが可能である。特色版とは、ＣＭＹＫやＲＧＢなどの基本的なカラーの他に、白、金、銀といった特殊なトナーやインクを付着させるための画像データであり、このような特殊なトナーやインクを搭載したプリンタ向けのデータである。特色版は色再現性を向上させるためにＣＭＹＫの基本カラーにＲを追加することや、ＲＧＢの基本カラーにＹを追加することもある。通常、クリアトナーも特色の１つとして取り扱われていた。
【００４０】
本実施の形態では、この特色としてのクリアトナーを、記録媒体に付与する視覚的または触覚的な効果である表面効果を形成するため、および、記録媒体に、上記表面効果以外のウォーターマーク等の透明画像を形成するために用いる。
【００４１】
このため、原稿データ生成部１０の画像処理アプリケーションは、入力された画像データに対して、有色版データの他、特色版の画像データとして、ユーザの指定により、光沢制御版データおよび／またはクリア版データを生成する。
【００４２】
原稿データ生成部１０は、有色版データ、クリア版データ、及び光沢制御版データを、例えば、ＰＤＦ形式（Ｐｏｒｔａｂｌｅ  Ｄｏｃｕｍｅｎｔ  Ｆｏｒｍａｔ）で、頁単位で生成する。そして、原稿データ生成部１０の画像処理アプリケーションでは、これらのクリア版データ、光沢制御版データ、及び有色版データを含む、原稿データを生成する。
【００４３】
なお、原稿データ生成部１０が生成するクリア版データ、光沢制御版データ、及び有色版データのデータ形式は、ＰＤＦに限定されるものではなく、任意の形式を用いることができる。また、各クリア版データ、光沢制御版データ、及び有色版データにおいて、これらのデータによって特定される各描画領域（オブジェクトと称する場合がある）は、例えば、ベクター形式で表現されている。
【００４４】
詳細には、原稿データ生成部１０は、オブジェクト毎に、ＲＧＢやＣＭＹＫ等の有色の濃度値を規定した画像データである有色版データを作成する。
【００４５】
図３は、有色版データの一例を示す説明図である。図３において、有色版データでは、「Ａ」、「Ｂ」、「Ｃ」等のオブジェクト（描画領域）ごとに、ユーザが画像処理アプリケーションで指定した色に対応する濃度値が付与される。各描画領域の濃度値は、例えば、０〜１００％の濃度値で示される（「０」〜「２５５」等で表してもよい）。
【００４６】
また、原稿データ生成部１０は、記録媒体に付与する表面効果に応じたクリアトナーを付着させる制御を行うため、当該表面効果の与えられる領域としての第１領域、及び各第１領域に与える表面効果の種類、を特定した画像データである光沢制御版データを生成する。
【００４７】
表面効果とは、記録媒体に付与する視覚的または触覚的な効果である。この光沢領域は、透明現像剤を記録媒体に付与することによって実現される。
【００４８】
表面効果の種類としては、大別して、光沢の有無に関するものや、表面保護や、情報を埋め込んだ透かしなどがある。表面効果の種類は、大別して４種類である。図４は、表面効果の種類の一例を示す図である。図４に示す例では、表面効果の種類には、光沢の度合い（光沢度）の高い順に、鏡面光沢（ＰＧ：Ｐｒｅｍｉｕｍ  Ｇｌｏｓｓ）、ベタ光沢（Ｇ：Ｇｌｏｓｓ）、網点マット（Ｍ：Ｍａｔｔ）、及びつや消し（ＰＭ：Ｐｒｅｍｉｕｍ  Ｍａｔｔ）等がある。これ以降、鏡面光沢を「ＰＧ」、ベタ光沢を「Ｇ」、網点マットを「Ｍ」、つや消しを「ＰＭ」と称する場合がある。
【００４９】
鏡面光沢やベタ光沢は、光沢を与える度合いが高い。逆に、網点マットやつや消しは、光沢を抑えるためのものである。特に、つや消しは、通常の記録媒体の有する光沢度より低い光沢度を実現するものである。図４中において、鏡面光沢の光沢度（Ｇｓ）は８０以上、べた光沢の光沢度（Ｇｓ）は一次色あるいは二次色のなすベタ光沢である。また、網点マットの光沢度（Ｇｓ）は、一次色、かつ網点３０％の光沢度であり、つや消しの光沢度（Ｇｓ）は、光沢度１０以下を表している。
【００５０】
また、これらの光沢度の偏差をΔＧｓで表し、上記４種類の表面効果の全ての光沢度について、１０以下とした。本実施の形態では、このような表面効果の各種類に対して、光沢を与える度合いの高い表面効果ほど、より高い濃度値を対応付ける。また、光沢を抑える表面効果ほど、より低い濃度値を対応付ける。
【００５１】
このため、表面効果の種類は、濃度値によって特定される。濃度値と表面効果の種類との対応関係については後述する。原稿データ生成部１０では、ユーザが画像処理アプリケーションにより指定したオブジェクトに対する表面効果の種類を、表面効果の種類に対応する濃度値として設定し、ベクター形式の光沢制御版データを生成する。
【００５２】
この濃度値は、「０」〜「２５５」の範囲の濃度値で表され、この濃度値に、表面効果の種類が対応付けられる。濃度値は、１６ビットや３２ビット、または０〜１００％で表してもよい。また、同一の表面効果を与えたい範囲には、同一の濃度値が設定される。このため、表面効果を与える第１領域の記録媒体上における位置や範囲を示すデータがなくとも、必要に応じて、光沢制御版データによって特定される濃度値から、光沢制御版データによって特定される第１領域の位置及び範囲が特定できる。即ち、光沢制御版データによって、表面効果の種類と、表面効果を与える第１領域と、が特定される。なお、光沢制御版データに、表面効果を与える各第１領域の位置及び範囲を示すデータを別途付与してもよい。
【００５３】
図５は、光沢制御版データの一例を示す説明図である。図５では、ユーザにより、オブジェクト「ＡＢＣ」に表面効果「ＰＧ（鏡面光沢）」が付与され、オブジェクト「（長方形の図形）」に表面効果「Ｇ（ベタ光沢）」が付与され、オブジェクト「（円形の図形）」に表面効果「Ｍ（網点マット）」が付与された光沢制御版データの一例を示している。なお、各表面効果に設定された濃度値は、後述の濃度値選択テーブル（図１０参照）で、表面効果の種類に対応して定められた濃度値である。
【００５４】
また、原稿データ生成部１０は、記録媒体に形成する透明画像に応じたクリアトナーを付着させる制御を行うため、当該透明画像の描画領域としての第２領域、及び各第２領域の濃度値を特定した画像データであるクリア版データを生成する。この各第２領域の濃度値は、各第２領域に付与するクリアトナーの付与量に応じた値である。
【００５５】
図６は、クリア版データの一例を示す模式図である。図６の例では、クリア版データには、透明画像として、ウォーターマーク「Ｓａｌｅ」が指定されている。
【００５６】
このように、特色版の画像データである、光沢制御版データおよびクリア版データは、原稿データ生成部１０の画像処理アプリケーションにより、有色版データとは別のプレーンで生成される。
【００５７】
次に、このような有色版データ、クリア版データ、及び光沢制御版データを含む原稿データを生成する、原稿データ生成部１０について詳細を説明する。図７は、原稿データ生成部１０の機能的構成を示すブロック図である。
【００５８】
図７に示すように、原稿データ生成部１０は、入力制御部１２４と、画像処理部１２０と、表示制御部１２１と、版データ生成部１２２と、記憶部１２３と、を備える。これらの各部の内、入力制御部１２４と表示制御部１２１は、原稿データ生成部１０のＣＰＵがＲＯＭ等に格納されたオペレーティングシステムのプログラムを読み出してＲＡＭ上に展開して実行することにより実現される。
【００５９】
版データ生成部１２２は、例えば、画像処理アプリケーションにインストールされたプラグインの機能として提供される。なお、これらの各部のうちの少なくとも一部を個別の回路（ハードウェア）で実現することも可能である。
【００６０】
記憶部１２３は、各種のデータを記憶するハードディスクドライブ装置（ＨＤＤ）やメモリ等の記憶媒体である。
【００６１】
入力制御部１２４は、操作部９９Ｂ（図２参照）からの各種入力を受け付けて入力を制御する。例えばユーザは、操作部９９Ｂを操作することにより、入力部９９Ａを介して、画像指定情報を入力する。画像指定情報は、外部装置から受け付けた有色版データの内、表面効果や透明画像を形成する対象の有色版データ（以下、「対象画像」と称する場合がある）を指定するための情報である。なお、ユーザは、予め、記憶部１２３に記憶された１または複数種類の有色版データの内、表面効果や透明画像を形成する対象の有色版データを指定する、画像指定情報を入力してもよい。入力制御部１２４では、これらの入力を制御する。なお、これに限らず、画像指定情報の入力方法は任意である。
【００６２】
画像処理部１２０は、表面効果や透明画像を形成する対象として指定された有色版データに対して、ユーザからの操作部９９Ｂを介した指示に基づいて、各種画像処理を行う。
【００６３】
表示制御部１２１は、表示部９９Ｄに対する各種情報の表示を制御する。本実施の形態では、表示制御部１２１は、入力制御部１２４で画像指定情報を受け付けた場合、その画像指定情報で指定された有色版データを記憶部１２３から読み出し、その読み出した有色版データの画像を画面上に表示するように表示部９９Ｄを制御する。
【００６４】
ユーザは、表示部９９Ｄに表示された有色版データの画像を確認しながら、操作部９９Ｂを操作することにより、表面効果を与える第１領域および当該表面効果の種類や、透明画像を形成する第２領域及び該第２領域の濃度等を指定する指定情報を入力することができる。なお、指定情報の入力方法は、これに限られるものではなく、任意である。
【００６５】
より具体的には、表示制御部１２１は、例えば、図８に例示される画面を表示部９９Ｄに表示させる。この図８は、Ａｄｏｂｅ  Ｓｙｓｔｅｍ（Ｒ）社が販売しているＩｌｌｕｓｔｒａｔｏｒにプラグインを組み込んだ場合に表示される画面の例である。図８に示される画面では、処理対象である有色版データによって表される画像が表示される。そして、ユーザが操作部９９Ｂを介してマーカー追加ボタン等を押下し、表面効果を与えたい第１領域や透明画像を形成する第２領域を指定する操作入力を行う。これにより、表面効果を与える第１領域や、透明画像を形成する第２領域が指定される。ユーザは、表面効果を与える全ての第１領域に対してこのような操作入力を行うことになる。また、ユーザは、形成対象の透明画像の形成領域である全ての第２領域に対して、このような操作入力を行うことになる。
【００６６】
そして、表示制御部１２１は、例えば、指定された第１領域毎に、図９に例示される画面を表示部９９Ｄに表示させる。図９に示される画面では、表面効果を与えるものとして指定された各第１領域において当該第１領域の画像が表示される。そして、表示された当該画像に対して与えたい表面効果の種類を指定する操作入力が、ユーザによる操作指示によって操作部９９Ｂを介して行われることで、当該領域に対して与える表面効果の種類が指定される。
【００６７】
表面効果の種類として、図４の鏡面光沢やベタ光沢は、図９では「インバースマスク」と表記されており、図４の鏡面光沢やべた光沢を除く他の効果は、図９では、ステンドグラスや万線パターンや網目パターンやモザイクスタイルと、ハーフトーンとして表記されている。すなわち、図９には、各々の種類の表面効果が指定可能であることが示されている。
【００６８】
図７に戻り、版データ生成部１２２は、有色版データ、光沢制御版データ、クリア版データをそれぞれ生成する。すなわち、版データ生成部１２２は、入力制御部１２４で、対象画像のオブジェクトに対するユーザによる色指定を受け付けた場合、当該色指定に従って、有色版データを生成する。
【００６９】
また、版データ生成部１２２は、入力制御部１２４で、透明画像の指定情報（透明画像を与える第２領域及び透明画像の濃度値（クリアトナーの付与量））を受け付けた場合、当該指定情報に従って、透明画像および透明画像を付与する記録媒体における第２領域、及びクリアトナーの付与量（濃度値）を特定するためのクリア版データを生成する。
【００７０】
また、版データ生成部１２２は、入力制御部１２４で表面効果の指定情報（表面効果を与える第１領域および当該表面効果の種類）を受け付けた場合、当該指定情報に基づいて、記録媒体において表面効果が与えられる第１領域および当該表面効果の種類を特定するための光沢制御版データを生成する。
【００７１】
詳細には、版データ生成部１２２は、濃度値に対応する種類の表面効果を付与する領域を、有色版データのオブジェクトの単位で指定した、光沢制御版データを生成する。
【００７２】
ここで、記憶部１２３には、表面効果の種類と、当該表面効果の種類に対応する濃度値とを記憶した濃度値選択テーブルが格納されている。図１０は、濃度値選択テーブルの一例を示す図である。図１０の例では、表面効果の種類「ＰＧ」（鏡面光沢）に対応する濃度値は「９８％」である。また、表面効果の種類「Ｇ」（ベタ光沢）に対応する濃度値は「９０％」である。また、表面効果の種類「Ｍ」（網点マット）に対応する濃度値は「１６％」である。また、表面効果の種類「ＰＭ」（つや消し）に対応する濃度値は「６％」である。なお、表面効果の種類は、更に細分化して設定可能としてもよい。また、これらの各表面効果の種類に対応する濃度値は、一例であり、図１０に示す値に限られない。
【００７３】
この濃度値選択テーブルは、ＤＦＥ３０で記憶している表面効果選択テーブル（後述）と同じデータであり、原稿データ生成部１０が所定のタイミングで表面効果選択テーブルを取得して、取得した表面効果選択テーブルから生成して記憶部１２３に保存する。なお、原稿データ生成部１０は、ＤＦＥ３０から取得した表面効果選択テーブルを、そのまま、濃度値選択テーブルとして記憶部１２３に記憶してもよい。
【００７４】
なお、インターネット等のネットワーク上のストレージサーバ（クラウド）に表面効果選択テーブルを保存しておいてもよい。この場合には、原稿データ生成部１０は、当該サーバから表面効果選択テーブルを取得して、取得した表面効果選択テーブルから濃度値選択テーブルを生成するように構成してもよい。ただし、ＤＦＥ３０で記憶している表面効果選択テーブルと、記憶部１２３に保存されている表面効果選択テーブルとは同じデータである必要がある。
【００７５】
図７に戻り、版データ生成部１２２は、図１０に示す濃度値選択テーブルを参照しながら、ユーザにより所定の表面効果が指定されたオブジェクトの濃度値を、当該表面効果の種類に応じた値に設定することで、光沢制御版データを生成する。
【００７６】
例えばユーザにより、図３に示した有色版データのうち、「ＡＢＣ」と表示される領域に「ＰＧ」、長方形の領域に「Ｇ」、円形の領域に「Ｍ」を与えることが指定された場合を想定する。この場合、版データ生成部１２２は、ユーザにより「ＰＧ」が指定されたオブジェクト（「ＡＢＣ」）の濃度値を「９８％」に設定し、「Ｇ」が指定されたオブジェクト（「長方形」）の濃度値を「９０％」に設定し、「Ｍ」が指定されたオブジェクト（「円形」）の濃度値を「１６％」に設定することで、光沢制御版データを生成する。
【００７７】
版データ生成部１２２で生成された光沢制御版データは、点の座標と、それを結ぶ線や面の方程式のパラメータ、および、塗り潰しや特殊効果などを示すオブジェクトの集合として表現されるベクター形式のデータである。図５は、この光沢制御版データをイメージとして示した図である。
【００７８】
図１１は、図５の光沢制御版データにおいて、オブジェクト、座標、濃度値との対応関係を示す図である。
【００７９】
版データ生成部１２２は、光沢制御版データと、有色版データと、クリア版データと、を統合した原稿データを生成し、図２に示す、表示処理部１５及び印刷データ生成部２０へ渡す。
【００８０】
図２に戻り、次に、印刷データ生成部２０について説明する。
【００８１】
印刷データ生成部２０は、受け付けた原稿データに基づいて印刷データを生成する。印刷データは、原稿データと、プリンタに対して指定するジョブコマンドと、を含んで構成される。このジョブコマンドには、例えば、プリンタの設定、集約の設定、両面の設定などが挙げられる。なお、印刷データは、Ｐｏｓｔ  Ｓｃｒｉｐｔのようなページ記述言語（ＰＤＬ）に変換されてもよいし、ＤＦＥ３０が対応していれば、ＰＤＦ形式のままでもよい。
【００８２】
図１２は、印刷データの構成例を概念的に示す模式図である。図１２の例では、ジョブコマンドとして、ＪＤＦ（Ｊｏｂ  Ｄｅｆｉｎｉｔｉｏｎ  Ｆｏｒｍａｔ）が用いられているが、これに限られるものではない。図１２に示すＪＤＦは、集約の設定として「片面印刷・ステープル有り」を指定するコマンドである。また、印刷データは、Ｐｏｓｔ  Ｓｃｒｉｐｔのようなページ記述言語（ＰＤＬ）に変換されたデータであってもよいし、ＤＦＥ３０が対応していれば、ＰＤＦ形式のままでもよい。
【００８３】
ここで、原稿データ生成部１０で生成された、光沢制御版データによって特定される表面効果を与える第１領域と、クリア版データによって特定される透明画像の第２領域と、が重複して設定される場合がある。
【００８４】
図１３（Ａ）〜図１３（Ｃ）は、表面効果を与える第１領域と、透明画像の第２領域と、が重複して設定された場合を示す模式図である。ここで、この重複領域について、透明画像の第２領域が、表面効果を与える第１領域より優先して記録媒体上に形成されることを、ユーザが所望する場合がある。また、逆に、この重複領域について、表面効果を与える第１領域が、透明画像の第２領域より優先して記録媒体上に形成されることをユーザが所望する場合がある。また、同一頁内に、表面効果の種類の異なる複数の第１領域を形成する場合に、表面効果の種類や表面効果の与えられるオブジェクト毎に、透明画像の第２領域に対して優先させて記録媒体上に形成することを、ユーザが所望する場合がある。
【００８５】
しかし、従来では、図１３（Ａ）〜図１３（Ｃ）に示すような、表面効果を与える第１領域と、透明画像の第２領域と、が重複して設定された場合についての考慮はなされておらず、何れの領域を優先させて印刷するかや、何れのオブジェクトを優先させて印刷するか、等の設定に応じた印刷を行うことは出来なかった。
【００８６】
なお、詳細には、図１３（Ａ）は、同一頁内に、表面効果の種類の異なる複数の第１領域として、オブジェクト３１０Ｅ、オブジェクト３１０Ｂ、オブジェクト３１０Ｄ、及びオブジェクト３１０Ｃが設定され、これらのオブジェクトの内、透明画像３１０Ａと重複するオブジェクトの内のオブジェクト３１０Ｂが透明画像３１０Ａより優先し、オブジェクト３１０Ｅ及びオブジェクト３１０Ｃが透明画像３１０Ｂより非優先で、記録媒体Ｐ上に形成された状態を示す模式図である。
【００８７】
図１３（Ｂ）は、透明画像３１０Ａと重複するオブジェクト３１０Ｂ、オブジェクト３１０Ｅ、及びオブジェクト３１０Ｃが、透明画像３１０Ａに対して非優先で、記録媒体Ｐ上に形成された状態を示す模式図である。
【００８８】
図１３（Ｃ）は、透明画像３１０Ａと重複するオブジェクト３１０Ｂ、オブジェクト３１０Ｅ、及びオブジェクト３１０Ｃが、透明画像３１０Ａに対して優先で、記録媒体Ｐ上に形成された状態を示す模式図である。
【００８９】
上述したように、従来では、図１３（Ａ）〜図１３（Ｃ）に示すような、クリアトナーを用いて形成する領域同士の重複領域についての考慮はなされていなかった。
【００９０】
図２に戻り、そこで、本実施の形態のホスト装置１１０では、上記重複領域についての優先情報を付与するために、表示処理部１５を備えている。表示処理部１５は、原稿データ生成部１０から原稿データを受け付け、原稿データの印刷結果を推定したプレビュー画像を生成し表示部９９Ｄに表示する。そして、表示処理部１５は、光沢制御版データによって特定される、表面効果を付与する第１領域と、クリア版データによって特定される、透明画像を形成する第２領域と、の重複領域において、第１領域と第２領域の何れを優先するかを示す優先情報を、光沢制御版データに付与する。
【００９１】
なお、本実施の形態では、表示処理部１５は、光沢制御版データに優先情報を付与する場合を説明するが、クリア版データ及び光沢制御版データの少なくとも一方に、指定された優先情報を付与すればよい。
【００９２】
そして、表示処理部１５は、優先情報の付与された光沢制御版データを、原稿データ生成部１０へ送信する。原稿データ生成部１０では、表示処理部１５から優先情報の付与された光沢制御版データを受け付けた場合には、優先情報の付与されていない光沢制御版データに替えて、優先情報の付与された光沢制御版データを含む原稿データを、印刷データ生成部２０へ送信する（詳細後述）。
【００９３】
具体的には、表示処理部１５は、原稿データ受付部２００Ａ、解析部２００Ｌ、分類画像データ生成部２００Ｆ、分類画像データ記憶部２００Ｇ、表示画像生成部２００Ｍ、表示情報記憶部２００Ｐ、表示制御部２００Ｊ、受付部２００Ｋ、及び優先情報付与部２００Ｉを備える。
【００９４】
また、解析部２００Ｌは、構造解析部２００Ｂ、オブジェクト構造リスト記憶部２００Ｃ、分類部２００Ｄ、及び分類リスト記憶部２００Ｅを備える。
【００９５】
図１４は、表示処理部１５における画像表示処理の手順を示すシーケンス図である。表示処理部１５の備える各機能部について、図１４のシーケンス図を用いて説明する。
【００９６】
原稿データ受付部２００Ａは、原稿データ生成部１０（図２参照）から、原稿データを受け付ける。原稿データ受付部２００Ａでは、原稿データを、表示処理部１５内で参照可能な状態とする。
【００９７】
具体的には、原稿データ受付部２００Ａは、プレビュー対象として指示された頁の原稿データのファイル拡張子、もしくはファイルヘッダーを参照するなどして、表示処理部１５内で取扱い可能なファイル形式であるか否かを判断する。
【００９８】
そして、原稿データ受付部２００Ａは、ファイルロックを解除する等して取扱い可能な状態とする。そして、原稿データ受付部２００Ａは、該原稿データを、原稿データ受付部２００Ａに設けられた一次メモリ２０１Ｂに展開する（ＳＥＱ２）。
【００９９】
構造解析部２００Ｂは、一次メモリ２０１Ｂに展開された原稿データのデータ構造を解析し、原稿データの各ページに含まれる描画領域を示すオブジェクト構造リストを作成する。
【０１００】
詳細には、構造解析部２００Ｂは、ユーザによる操作部９９Ｂの操作指示によって表示対象の頁が選択されると（ＳＥＱ４）、該選択結果に対応する頁の原稿データを一次メモリ２０１Ｂから読み取り、解析する（ＳＥＱ３、ＳＥＱ５）。
【０１０１】
そして構造解析部２００Ｂは、解析結果であるオブジェクト構造リストを、オブジェクト構造リスト記憶部２００Ｃに格納する（ＳＥＱ６）。
【０１０２】
このオブジェクト構造リストとは、原稿データの各ページに含まれる描画領域の一覧を示す情報である。例えば、このオブジェクト構造リストは、原稿データの頁内に含まれるオブジェクトをツリー構造で示したものである。具体的には、構造解析部２００Ｂは、原稿データの各有色版データ、光沢制御版データ、及びクリア版データの各々に含まれる、１または複数の描画領域であるオブジェクトを解析し、オブジェクト毎の描画情報（描画領域の位置、色空間、濃度等）を示す、オブジェクト構造リストを作成する。
【０１０３】
分類部２００Ｄは、オブジェクト構造リストに示される各オブジェクト（描画領域）を、有色版データによって特定される有色画像の描画領域群、クリア版データによって特定される透明画像の描画領域群、及び光沢制御版データによって特定される描画領域群に分類し、オブジェクト分類リストを生成する（ＳＥＱ７）。そして、分類部２００Ｄは、生成したオブジェクト分類リストを、分類リスト記憶部２００Ｅに記憶する（ＳＥＱ８）。
【０１０４】
オブジェクト分類リストは、各オブジェクト群から、オブジェクト構造リスト記憶部２００Ｃに格納されている対応するオブジェクトへのポインタのリストとなっており、実際の描画情報は、オブジェクト構造リスト記憶部２００Ｃに格納されている。分類リスト記憶部２００Ｅは、このオブジェクト分類リストを記憶する。
【０１０５】
分類画像データ生成部２００Ｆは、オブジェクト分類リストによって示される、有色画像の描画領域群を統合すると共にラスタライズを行い、第２有色版データを生成する。また、分類画像データ生成部２００Ｆは、オブジェクト分類リストによって示される、透明画像の描画領域群を統合すると共にラスタライズを行い、第２クリア版データを生成する。さらに、分類画像データ生成部２００Ｆは、光沢領域の描画領域群を統合すると共にラスタライズを行い、第２光沢制御版データを生成する。これによって、分類画像データ生成部２００Ｆは、第２有色版データ、第２光沢制御版データ、及び第２クリア版データを生成する（ＳＥＱ９、ＳＥＱ１０）。
【０１０６】
第２有色版データは、有色版データを表示部９９Ｄで表示可能な形式の表示用のイメージデータに変換したものであり、有色版データを、１画素あたり例えば８ビットで表現されたラスター形式の画像データに変換したものである。
【０１０７】
第２クリア版データは、クリア版データを表示部９９Ｄで表示可能な形式の表示用のイメージデータに変換したものであり、クリア版データを、１画素あたり例えば８ビットで表現されたラスター形式の画像データに変換したものである。
【０１０８】
第２光沢制御版画像データは、光沢制御版データを表示部９９Ｄで表示可能な形式の表示用のイメージデータに変換したものであり、光沢制御版データを、１画素あたり例えば８ビットで表現されたラスター形式の画像データに変換したものである。
【０１０９】
分類画像データ記憶部２００Ｇは、分類画像データ生成部２００Ｆで生成された、表示用のイメージデータである、第２有色版データ、第２クリア版データ、及び、表面効果の種類毎の第２光沢制御版データを記憶する。
【０１１０】
なお、分類画像データ生成部２００Ｆは、各版の描画領域（オブジェクト）毎に、表示用のデータ（第２有色版データ、第２クリア版データ、及び、第２光沢制御版データ）を生成してもよい。
【０１１１】
表示情報記憶部２００Ｐは、管理テーブルを格納する。管理テーブルは、表面効果を付与する第１領域に対応する表示管理情報と、透明画像に対応する表示管理情報と、を格納する。
【０１１２】
表示管理情報とは、光沢領域及び透明画像の各々を、表示部９９Ｄに表示したときの表示色を示す情報である。これらの表示管理情報は、ユーザによる操作部９９Ｂの操作指示によって入力され、予め表示情報記憶部２００Ｐに記憶されている。
【０１１３】
例えば、透明画像の表示時の表示色を示す色情報として「水色」を示す情報が、透明画像を示す情報に対応づけて、表示管理情報として管理テーブルに格納される。また、例えば、表面効果を与える第１領域の表面効果の種類毎に、表示色の表示色を示す色情報として、「青色」や「黄色」等の互いに異なる色を示す情報が、各表面効果の種類を示す情報に対応づけて、表示管理情報として管理テーブルに格納される。
【０１１４】
ここで、クリアトナーを用いて記録媒体上に印刷された後の表面効果を付与した第１領域や、透明画像を付与した第２領域の色は、無色透明である。このため、表示画像生成部２００Ｍは、分類画像データ記憶部２００Ｇに格納されている第２光沢制御版データの第１領域の色を、表示情報記憶部２００Ｐに格納されている、該第１領域の表面効果の種類に対応する表示色情報の表示色に変換する（ＳＥＱ１１、ＳＥＱ１２）。
【０１１５】
同様に、表示画像生成部２００Ｍは、分類画像データ記憶部２００Ｇに格納されている第２クリア版データの透明画像の第２領域の色を、表示情報記憶部２００Ｐに格納されている透明画像に対応する表示色情報の表示色に変換する（ＳＥＱ１１、ＳＥＱ１２）。
【０１１６】
合成画像生成部２００Ｈは、表示画像生成部２００Ｍで生成された、各々表示用の表示色に変換された第２クリア版データ及び第２光沢制御版データと、分類画像データ記憶部２００Ｇに格納されている第２有色版データと、を合成し、原稿データの印刷結果を推定したプレビュー画像を示す、合成画像を生成する（ＳＥＱ１３）。
【０１１７】
表示制御部２００Ｊは、合成画像生成部２００Ｈで生成された合成画像や、表示画像生成部で生成された、表示用の表示色に変換された第２クリア版データ及び第２光沢制御版データを、表示部９９Ｄに表示する（ＳＥＱ１４）。
【０１１８】
受付部２００Ｋは、入力部９９Ａに優先情報付与のための入力画面を表示し、操作部９９Ｂから、透明画像の第２領域と表面効果を付与する第１領域との重複領域について、第１領域と第２領域との何れを優先するかを示す優先情報を受け付ける（ＳＥＱ１６）。この優先情報は、ユーザの操作部９９Ｂによる操作指示によって行われる（ＳＥＱ１５）。
【０１１９】
このとき、合成画像生成部２００Ｈも、優先情報を受け付けてもよい（ＳＥＱ１７）。そして、優先情報を受け付けた場合には、合成画像生成部２００Ｈは、優先する領域がより全面に表示されるように、合成画像を再生成し、表示部９９Ｄに表示する。
【０１２０】
優先情報付与部２００Ｉは、受付部２００Ｋで受け付けた優先情報を、光沢制御版データに付与する。具体的には、光沢制御版データによって特定される、表面効果を付与する第１領域と、クリア版データによって特定される、透明画像を形成する第２領域と、の重複領域において、第１領域と第２領域の何れを優先するかを示す優先情報を、光沢制御版データに付与する（ＳＥＱ１８、１９）。
【０１２１】
図１５は、優先情報の付与された光沢制御版データのデータ構造の一例を示す模式図である。図１５に示すように、光沢制御版データは、オブジェクト毎に、重複する透明画像に対して優先であるか、非優先であるか、を示す優先情報の付与された状態となる。
【０１２２】
図１４に戻り、そして、優先情報付与部２００Ｉは、優先情報を付与した光沢制御版データを、原稿データ生成部１０へ送信する（ＳＥＱ２０）。
【０１２３】
優先情報の付与された光沢制御版データを受け付けた原稿データ生成部１０は、優先情報の付与されていない光沢制御版データに替えて、優先情報の付与された光沢制御版データを含む原稿データを、印刷データ生成部２０へ送信する。このため、表示処理部１５によって光沢制御版データに優先情報が付与された場合には、原稿データ生成部１０は、優先情報の付与された光沢制御版データを、印刷データ生成部２０へ送信することとなる。
【０１２４】
なお、本実施の形態では、表示処理部１５は、光沢制御版データに優先情報を付与する場合を説明するが、クリア版データ及び光沢制御版データの少なくとも一方に、指定された優先情報を付与すればよい。
【０１２５】
印刷データ生成部２０では、上述したように、受け付けた原稿データに基づいて印刷データを生成する。このため、受け付けた原稿データが、優先情報の付与された光沢制御版データを含む場合には、印刷データ生成部２０は、優先情報の付与された光沢制御版データを含む原稿データに基づいて、印刷データを生成する。そして、印刷データ生成部２０は、生成した印刷データを、出力部９９Ｃを介してＤＦＥ３０へ送信する。
【０１２６】
次に、原稿データ生成部１０が実行する、原稿データの生成処理を詳細に説明する。
【０１２７】
図１６は、本実施の形態の原稿データ生成部１０による、原稿データの生成処理の手順を示すフローチャートである。なお、本実施の形態では、クリア版データ及び光沢制御版データの双方を作成する場合を説明する。
【０１２８】
まず、入力制御部１２４が、画像指定情報の入力を受け付けた場合（ステップＳ１１：ＹＥＳ）、表示制御部１２１は、受け付けた画像指定情報で指定された画像を表示するように表示部９９Ｄを制御する（ステップＳ１２）。次に、入力制御部１２４が表面効果の指定情報の入力を受け付けた場合（ステップＳ１３：ＹＥＳ）、版データ生成部１２２は、受け付けた指定情報に基づいて、光沢制御版データ（当初は空データ）に下記情報を順次登録し、光沢制御版データを生成する（ステップＳ１４）。
【０１２９】
ステップＳ１４では、詳細には、版データ生成部１２２は、指定情報により対象画像に対して表面効果が付与されたオブジェクトとその座標を特定する。オブジェクトとその座標の特定は、例えば、画像処理部１２０が対象画像にオブジェクトを描画する際のオペレーティングシステム等で提供される描画コマンドおよび描画コマンドで設定された座標値等を用いて行われる。
【０１３０】
次に、版データ生成部１２２は、記憶部１２３に保存されている濃度値選択テーブルを参照して、指定情報でユーザが付与した表面効果に対応する濃度値を決定する。そして、版データ生成部１２２は、光沢制御版データ（当初は空データ）に、指定されたオブジェクトと、表面効果に対応して決定された濃度値とを対応付けて登録する。これによって、版データ生成部１２２は、光沢制御版データを生成する。
【０１３１】
次に、版データ生成部１２２は、生成した光沢制御版データを記憶部１２３に記憶する（ステップＳ１５）。
【０１３２】
次に、入力制御部１２４が透明画像の指定情報の入力を受け付けた場合（ステップＳ１６：ＹＥＳ）、版データ生成部１２２は、受け付けた指定情報に基づいて、クリア版データ（当初は空データ）に下記情報を順次登録し、クリア版データを生成する（ステップＳ１７）。
【０１３３】
ステップＳ１７では、詳細には、版データ生成部１２２は、指定情報により、透明画像として指定されたオブジェクトとその座標を特定する。オブジェクトとその座標の特定は、例えば、画像処理部１２０が対象画像にオブジェクトを描画する際のオペレーティングシステム等で提供される描画コマンドおよび描画コマンドで設定された座標値等を用いて行われる。このとき、透明画像の指定情報として、透明画像として指定されたオブジェクトにおけるクリアトナーの付着量として、濃度値も入力されるようにしてもよい。また、透明画像のオブジェクトが指定された場合には、クリアトナーの付着量に相当する濃度値は、予め定めた値を設定するようにしてもよい。
【０１３４】
次に、版データ生成部１２２は、クリア版データ（当初は空データ）に、指定されたオブジェクトと、指定された、または予め設定された透明画像の濃度値とを対応づけて登録する。これによって、版データ生成部１２２は、クリア版データを生成する。
【０１３５】
次に、版データ生成部１２２は、生成したクリア版データを記憶部１２３に記憶する（ステップＳ１８）。
【０１３６】
なお、上記ステップＳ１３〜ステップＳ１５の処理と、ステップＳ１６〜ステップＳ１８の処理と、の処理順序は順不同である。
【０１３７】
次に、原稿データ生成部１０は、有色版データと、生成された光沢制御版データと、生成されたクリア版データと、を含む原稿データを、表示処理部１５へ送信する（ステップＳ２０）。
【０１３８】
そして、原稿データ生成部１０は、優先情報を付与された光沢制御版データを表示処理部１５から受け付けたか否かを判断する（ステップＳ２１）。ステップＳ２１で肯定判断すると（ステップＳ２１：Ｙｅｓ）、ステップＳ２２へ進む。ステップＳ２２では、原稿データ生成部１０は、有色版データと、クリア版データと、表示処理部１５から受け付けた、優先情報を付与された光沢制御版データと、を含む原稿データを、印刷データ生成部２０へ送信する（ステップＳ２２）。そして、本ルーチンを終了する。
【０１３９】
一方、ステップＳ２１で否定判断した場合には（ステップＳ２１：Ｎｏ）、ステップＳ２３へ進む。ステップＳ２３では、原稿データ生成部１０は、有色版データと、生成したクリア版データと、生成した光沢制御版データと、を含む原稿データを、印刷データ生成部２０へ送信する（ステップＳ２３）。そして、本ルーチンを終了する。
【０１４０】
次に、表示処理部１５が実行する優先情報付与処理を説明する。図１７は、表示処理部１５が実行する優先情報付与処理の手順を示す、フローチャートである。
【０１４１】
まず、原稿データ受付部２００Ａが、原稿データを受け付ける（ステップＳ４００）。次いで、構造解析部２００Ｂが、原稿データのデータ構造を解析し、原稿データの各ページに含まれるオブジェクトを示すオブジェクト構造リストを作成する（ステップＳ４０２）。そして、構造解析部２００Ｂは、オブジェクト構造リストをオブジェクト構造リスト記憶部２００Ｃに格納する（ステップＳ４０４）。
【０１４２】
次いで、分類部２００Ｄが原稿データの分類処理を実行し、オブジェクト分類リストを生成する（ステップＳ４０６）。
【０１４３】
そして、分類画像データ生成部２００Ｆが、表示用のイメージデータとして、第２有色版データ、第２光沢制御版データ、及び第２クリア版データを生成し、分類画像データ記憶部２００Ｇに格納する（ステップＳ４０８、ステップＳ４１０）。
【０１４４】
次に、表示画像生成部２００Ｍが、第２光沢制御版データの第１領域の色、及び第２クリア版データの第２領域の色を、表示情報記憶部２００Ｐに格納されている、対応する表示色情報の表示色に変換し、表示画像を生成する（ステップＳ４１２）。
【０１４５】
次に、合成画像生成部２００Ｈが、原稿データの印刷結果を推定したプレビュー画像を示す合成画像を生成する、合成画像生成処理を行う（ステップＳ４１４）。
【０１４６】
次に、表示制御部２００Ｊが、ステップＳ４１４で生成された合成画像や、ステップＳ４０８で生成された表示画像を、表示部９９Ｄに表示する（ステップＳ４１６）。
【０１４７】
次に、優先情報付与部２００Ｉが、優先設定処理を実行し、光沢制御版データに優先情報を付与する（ステップＳ４１８）（詳細後述）。
【０１４８】
次に、優先情報付与部２００Ｉは、優先情報を付与した光沢制御版データを原稿データ生成部１０へ送信し（ステップＳ４２０）、本ルーチンを終了する。
【０１４９】
次に、上記ステップＳ４１８の優先設定処理について詳細に説明する。図１８は、優先設定処理の手順を示すフローチャートである。
【０１５０】
ここで、上述したように、光沢制御版データ、クリア版データは、頁単位で生成されたデータである。まず、優先情報付与部２００Ｉは、優先情報の設定対象の、設定対象ページを設定する（ステップＳ４５０）。例えば、優先情報付与部２００Ｉは、初期情報として、１頁目を設定する。そして、優先情報付与部２００Ｉは、操作部９９Ｂから受付部２００Ｋを介して、設定対象ページの切替指示を受け付ける度に、１頁ずつ設定頁を繰り上げればよい。
【０１５１】
次に、優先情報付与部２００Ｉは、合成画像生成部２００Ｈから受け付けた、合成画像（表示用の表示色に変換された第２クリア版データ及び第２光沢制御版データと、第２有色版データと、を合成し、原稿データの印刷結果を推定したプレビュー画像）を、表示部９９Ｄに表示する（ステップＳ４５１）。
【０１５２】
図１９は、表示部９９Ｄに表示された合成画像の一例を示す模式図である。
【０１５３】
図１９に示すように、ステップＳ４５１の処理によって、例えば、表示部９９Ｄに、合成画像４８２を含む表示画面４８０が表示される。図１９に示す例では、表示部９９Ｄには、合成画像４８２は、表面効果の種類の異なる複数の第１領域である、オブジェクト３１０Ｅ、オブジェクト３１０Ｂ、オブジェクト３１０Ｄ、及びオブジェクト３１０Ｃと、が設定され、透明画像３１０Ａと、を含む。なお、合成画像４８２は、有色版データによって特定される有色の描画領域については、表示してもよいし、表示しなくてもよい。
【０１５４】
また、表示画面４８０には、操作部９９Ｂの操作指示によって表示画面上でユーザが特定のオブジェクトを指示するためのポインタ４９０が表示されている。このポインタ４９０は、例えば、マウス等の操作部９９Ｂの操作指示に応じて、表示画面上で動く。
【０１５５】
また、表示画面４８０は、ポインタ４９０によって指示されたオブジェクトが、該オブジェクトに重なる他のオブジェクトに対して、優先であることを設定するための「優先」ボタン４８０や、優先設定のキャンセルを指示するための「キャンセル」ボタン４８６や、優先情報の決定を指示するための「決定」ボタン４８８を含む。
【０１５６】
これらのボタンは、ユーザによる操作部９９Ｂの操作指示によって、ポインタ４９０が各ボタンの表示位置に移動されて、操作部９９Ｂの操作指示等によって決定が指示されると、各ボタンに対応して、「優先」、「キャンセル」、「決定」を示す信号が受付部２００Ｋを介して優先情報付与部２００Ｉに入力される。
【０１５７】
図１８に戻り、次に、ステップＳ４５２において、優先情報付与部２００Ｉは、光沢制御版データにおける、設定対象ページ内の全てのオブジェクトについて、優先情報の設定が完了したか否かを判断する（ステップＳ４５２）。ステップＳ４５２の判断は、例えば、設定対象ページ内の全てのオブジェクトを示す情報に、優先情報として、優先または非優先を示す情報が対応づけられているか否かを判別することによって行う。
【０１５８】
次に、優先情報付与部２００Ｉは、光沢制御版データにおける、設定対象ページ内のオブジェクトの内の少なくとも１つが指定されたか否かを判断する（ステップＳ４５４）。ステップＳ４５４の判断は、例えば、ユーザによる操作部９９Ｂの操作指示によって、ポインタ４９０を介して、表面効果の種類の異なる複数の第１領域である、オブジェクト３１０Ｅ、オブジェクト３１０Ｂ、オブジェクト３１０Ｄ、及びオブジェクト３１０Ｃの何れかが指示されたか否かを判別することで、行う。
【０１５９】
ステップＳ４５４で肯定判断すると（ステップＳ４５４：Ｙｅｓ）、ステップＳ４５６へ進み、ステップＳ４５４で否定判断すると（ステップＳ４５４：Ｎｏ）、ステップＳ４５８へ進む。
【０１６０】
ステップＳ４５６では、優先情報付与部２００Ｉが、指定された、光沢制御版データにおける設定対象ページ内の、ステップＳ４５４で指定されたオブジェクトを示す情報を、優先情報付与部２００Ｉの図示を省略するメモリに記憶する（ステップＳ４５６）。
【０１６１】
次に、優先情報付与部２００Ｉは、クリア版データにおける、設定対象ページ内のオブジェクトの内の少なくとも１つが指定されたか否かを判断する（ステップＳ４５８）。ステップＳ４５８の判断は、例えば、ユーザによる操作部９９Ｂの操作指示によって、ポインタ４９０を介して、透明画像の第２領域である、オブジェクト３１０Ａが指示されたか否を判別することで行う。
【０１６２】
ステップＳ４５８で肯定判断すると（ステップＳ４５８：Ｙｅｓ）、ステップＳ４６０へ進み、ステップＳ４５８で否定判断すると（ステップＳ４５８：Ｎｏ）、ステップＳ４６２へ進む。
【０１６３】
ステップＳ４６０では、優先情報付与部２００Ｉが、指定された、クリア版データにおける設定対象ページ内の、ステップＳ４５８で指定されたオブジェクトを示す情報を、優先情報付与部２００Ｉの図示を省略するメモリに記憶する（ステップＳ４６０）。
【０１６４】
次に、優先情報付与部２００Ｉは、光沢制御版データ内のオブジェクトと、クリア版データ内のオブジェクトと、の双方が指定済であるか否かを判断する(ステップＳ４６２)。ステップＳ４６２の判断は、優先情報付与部２００Ｉの図示を省略するメモリに、ステップＳ４５４及びステップＳ４５８の各々で指定されたオブジェクトが記憶されているか否かを判別することで行う。
【０１６５】
上記ステップＳ４６２で否定判断すると、上記ステップＳ４５４へ戻り、上記ステップＳ４６２で肯定判断すると、ステップＳ４６４へ進む。
【０１６６】
ステップＳ４６４では、上記ステップＳ４５４〜ステップＳ４６２の処理によって指定された、光沢制御版データのオブジェクト（第１領域）と、クリア版データのオブジェクト（第２領域）と、の重複領域について、何れの領域（オブジェクト）を優先させるかを示す優先情報の指定がなされたか否かを判断する（ステップＳ４６４）。
【０１６７】
詳細には、優先情報付与部２００Ｉは、表示部９９Ｄに表示した、図１９に示す表示画面４８０における、「優先」ボタン４８４の表示領域が、ユーザによる操作部９９Ｂの操作指示によって指定された後に、「決定」ボタン４８８の表示領域が指定されたか否かを判別することで、ステップＳ４６４の判断を行えばよい。
【０１６８】
なお、本実施の形態では、優先情報の設定は、表示部９９Ｄに合成画像等のプレビュー画面を表示したときに行う場合を説明するが、クリア版データ及び光沢制御版データの生成時に、優先情報の設定を可能としてもよい。
【０１６９】
この場合には、クリア版データや光沢制御版データの生成時に、表示部９９Ｄに、優先情報を入力するための入力画面を表示すればよい。すなわち、表示制御部１２１が、例えば、図８に例示される画面を表示部９９Ｄに表示させ、ユーザが操作部９９Ｂを介してマーカー追加ボタン等を押下し、表面効果を与えたい第１領域や透明画像を形成する第２領域を指定する操作入力を行ったときに、さらに、さらに優先情報を入力するための入力画面を表示してもよい。
【０１７０】
図２０は、表示部９９Ｄに表示された、優先情報を入力するための入力画面の一例を示す模式図である。
【０１７１】
図２０に示すように、例えば、光沢制御版データ及びクリア版データの各オブジェクトがユーザによって設定され、これらのオブジェクトに重複領域が生じる場合に、図２０に示す入力画面４９２を更に表示部９９Ｄに更に表示すればよい。
【０１７２】
入力画面４９２は、光沢制御版属性として、選択した光沢制御版データのオブジェクトが、選択したクリア版データのオブジェクトに対して優先するか否かを示すチェックボックス４９４を含む。このチェックボックス４９４が、ユーザによる操作部９９Ｂの操作指示によってチェックされた場合には、光沢制御版データの重複領域では、光沢制御版データのオブジェクトである第１領域を優先とする優先情報の付与された光沢制御版データを生成すればよい。
【０１７３】
図１８に戻り、ステップＳ４６４の判断において、優先情報付与部２００Ｉでは、操作部９９Ｂから受付部２００Ｋを介して、第１領域を優先とする優先情報、または第１領域を非優先とする優先情報を受け付けたか否かを判別することで、ステップＳ４６４の判断を行えばよい。
【０１７４】
優先情報付与部２００Ｉは、ステップＳ４６４で肯定判断（ステップＳ４６４：Ｙｅｓ）するまで否定判断（ステップＳ４６４：Ｎｏ）を繰り返す。そして、ステップＳ４６４で肯定判断（ステップＳ４６４：Ｙｅｓ）すると、ステップＳ４６６へ進み、上記ステップＳ４５４で指定された、光沢制御版データのオブジェクト（第１領域）を示す情報と、ステップＳ４５８で指定された、クリア版データのオブジェクト（第２領域）を示す情報と、第１領域に対して第２領域が優先するか否か（非優先）を示す優先情報と、を図示を省略するメモリに記憶する（ステップＳ４６６）。そして、上記ステップＳ４５１へ戻る。
【０１７５】
一方、上記ステップＳ４５２で肯定判断されると（ステップＳ４５２：Ｙｅｓ）、ステップＳ４６８へ進む。ステップＳ４６８では、優先情報付与部２００Ｉが、光沢制御版に各オブジェクト（第１領域）の優先情報を付与する（ステップＳ４６８）。
【０１７６】
ステップＳ４６８では、詳細には、優先情報付与部２００Ｉは、上記ステップＳ４６６でメモリに格納された情報に基づいて、光沢制御版データにおける、設定対象ページの各オブジェクトを示す情報に、対応する優先情報（優先または非優先を示す優先情報）を付与する。これによって、設定対象ページの光沢制御版データは、オブジェクト毎に、重複する透明画像に対して優先であるか、非優先であるか、を示す優先情報の付与された状態となる（図１５も参照）。
【０１７７】
次に、優先情報付与部２００Ｉは、光沢制御版データの全頁について、優先情報が付与されることで、全頁終了したか否かを判断する（ステップＳ４７０）。ステップＳ４７０で否定判断すると（ステップＳ４７０；Ｎｏ）、ステップＳ４７２へ進む。ステップＳ４７２では、優先情報を設定する対象のページを、前回とは異なるページに切替える（ステップＳ４７２）。そして、上記ステップＳ４５１へ戻る。一方、ステップＳ４７０で肯定判断すると（ステップＳ４７０：Ｙｅｓ）、本ルーチンを終了する。
【０１７８】
ステップＳ４５０〜ステップＳ４７２の処理が実行されることによって、原稿データに含まれる各ページの光沢制御版データには、含まれるオブジェクト（第１領域）毎に、優先情報が付与された状態となる。
【０１７９】
次に、ＤＥＦ３０について詳細に説明する。
【０１８０】
ＤＦＥ３０は、ホスト装置１１から印刷データを受信し、当該印刷データに基づいて、ＣＭＹＫの各トナーおよび無色（透明色）のクリアトナーに応じたトナー像を形成するための画像データを生成する。そして、その生成した画像データを、ＭＩＣ４０を介して印刷装置６０へ送信する。
【０１８１】
図２１は、ＤＦＥ３０の機能的構成を示す模式図である。
【０１８２】
ＤＦＥ３０は、図２１に例示されるように、レンダリングエンジン１０１と、ｓｉ１部１０２と、ＴＲＣ（Ｔｏｎｅ  Ｒｅｐｒｏｄｕｃｔｉｏｎ  Ｃｕｒｖｅ）１０３と、ｓｉ２部１０４と、ハーフトーンエンジン１０５と、クリアプロセッシング１０８と、ｓｉ３部１０９と、表面効果選択テーブル（不図示）とを有する。
【０１８３】
レンダリングエンジン１０１と、ｓｉ１部１０２と、ＴＲＣ１０３と、ｓｉ２部１０４と、ハーフトーンエンジン１０５と、クリアプロセッシング１０８と、ｓｉ３部１０９とは、ＤＦＥ３０の制御部が主記憶部や補助記憶部に記憶されている各種プログラムを実行することにより実現されるものである。ｓｉ１部１０２、ｓｉ２部１０４及びｓｉ３部１０９はいずれも、画像データを分離する（ｓｅｐａｒａｔｅ）機能と、画像データを統合する（ｉｎｔｅｇｒａｔｅ）機能とを有するものである。表面効果選択テーブルは例えば補助記憶部に記憶されるものである。
【０１８４】
レンダリングエンジン１０１には、ホスト装置１１から送信された印刷データ（画像データ）が入力される。レンダリングエンジン１０１は、入力された画像データを言語解釈して、ベクター形式で表現される画像データをラスター形式に変換すると共に、ＲＧＢ形式等で表現された色空間をＣＭＹＫ形式の色空間に変換して、ＣＭＹＫの各８ビットの有色版データ、８ビットの光沢制御版データ、及び８ビットのクリア版データを出力する。
【０１８５】
ｓｉ１部１０２は、ＣＭＹＫの各８ビットの有色版データをＴＲＣ１０３に出力し、８ビットの光沢制御版データ、及び８ビットのクリア版データを、クリアプロセッシング１０８に出力する。ここで、ＤＦＥ３０は、ホスト装置１１から出力されたベクター形式の光沢制御版データをラスター形式に変換し、この結果、ＤＦＥ３０は、ユーザが画像処理アプリケーションにより指定したオブジェクトに対する表面効果の種類を、画素を単位として濃度値として設定して、光沢制御版データを出力する。
【０１８６】
ＴＲＣ１０３には、ｓｉ１部１０２を介してＣＭＹＫの各８ビットの有色版データが入力される。ＴＲＣ１０３は、入力された８ビットの有色版データに対して、キャリブレーションにより生成された１Ｄ＿ＬＵＴのガンマカーブで、ガンマ補正を行う。画像処理としては、ガンマ補正の他にトナーの総量規制等がある。総量規制とは記録媒体上の１画素において、プリンタ機５０でのせることが可能なトナー量に限界があるため、ガンマ補正後のＣＭＹＫ各８ビットの有色版データを制限する処理である。ちなみに、総量規制を越えて印刷した場合、転写不良や定着不良により画質が劣化してしまう。当実施例では関連するガンマ補正のみを取り上げて説明している。
【０１８７】
ｓｉ２部１０４は、ＴＲＣ１０３でガンマ補正されたＣＭＹＫの各８ビットの有色版データを、インバースマスク（後述する）を生成するためのデータとしてクリアプロセッシング１０８へ出力する。ハーフトーンエンジン１０５には、ｓｉ２部１０４を介してガンマ補正後のＣＭＹＫの各８ビットの有色版データが入力される。ハーフトーンエンジン１０５は、入力された有色版データをプリンタ機５０に出力するための、例えばＣＭＹＫの各２ビット等の有色版データのデータ形式に変換するハーフトーン処理を行い、ハーフトーン処理後のＣＭＹＫ各２ビット等の有色版データを出力する。なお、２ビットは一例であり、これに限定されるものではない。
【０１８８】
クリアプロセッシング１０８には、レンダリングエンジン１０１で変換された８ビットの光沢制御版データ、及び８ビットのクリア版データが、ｓｉ１部１０２を介して入力される。また、クリアプロセッシング１０８には、ＴＲＣ１０３がガンマ補正を行ったＣＭＹＫの各８ビットの有色版データがｓｉ２部１０４を介して入力される。
【０１８９】
クリアプロセッシング１０８は、入力された光沢制御版データを用いて、後述の表面効果選択テーブルを参照して、光沢制御版データを構成する各画素の表す濃度値（画素値）に対する表面効果を判断して、当該判断に応じて、グロッサ７０のオン又はオフを決定する。
【０１９０】
また、クリアプロセッシング１０８は、クリアトナー版生成部１０８Ａを備える。クリアトナー版生成部１０８Ａは、８ビットの光沢制御版データの各画素の位置と、８ビットのクリア版データの各画素の位置と、が重複する場合には、これらの画素の内、優先情報に基づいて、優先と設定された一方の画素を画素単位で排他し、他方の画素の濃度値を、該画素位置の濃度値として用いる（詳細後述）。
【０１９１】
この排他処理によって、クリアトナー版生成部１０８Ａでは、透明画像の第２領域と表面効果を与える第１領域との重複領域に位置する画素について、光沢制御版データを優先することを示す優先情報が設定されている場合には、該位置の画素については、光沢制御版データの８ビットの画素データを、２ビットの画素データに変換する。一方、クリアトナー版生成部１０８Ａは、重複する位置の画素について、光沢制御版データを非優先とすることを示す優先情報が設定されている場合には、該位置の画素については、クリア版データの８ビットの画素データを、２ビットの画素データに変換する。なお、この排他処理の詳細については後述する。
【０１９２】
そして、クリアプロセッシング１０８のクリアトナー版生成部１０８Ａは、８ビットのクリア版データと８ビットの光沢制御版データとを、上記排他処理を行うことによって統合した版データと、ＣＭＹＫの各８ビットの有色版データとを用いて、インバースマスクやベタマスクを適宜生成することにより、クリアトナーを付着させるための２ビットのクリアトナー版データを適宜生成する。
【０１９３】
そして、表面効果の判断の結果に応じて、クリアプロセッシング１０８は、プリンタ機５０で用いるクリアトナー版データと、通常定着後処理装置８０で用いるクリア版データと、低温定着後処理装置９０で用いるクリア版データと、を適宜生成してこれらを出力すると共に、グロッサ７０のオン又はオフを示すオンオフ情報を出力する。
【０１９４】
ここで、インバースマスクとは、表面効果を与える対象の領域を構成する各画素上のＣＭＹＫのトナー及びクリアトナーを合わせた総付着量が均一になるようにするためのものである。具体的には、ＣＭＹＫ版の画像データにおいて当該対象の領域を構成する画素の表す濃度値を全て加算し、その加算値を所定値から差し引いた画像データがインバースマスクとなる。例えば、後述するインバースマスク１は以下の式１で表される。
【０１９５】
Ｃｌｒ＝１００−（Ｃ＋Ｍ＋Ｙ＋Ｋ）  但し、Ｃｌｒ＜０となる場合、Ｃｌｒ＝０
・・・(式１)
【０１９６】
式１において、Ｃｌｒ，Ｃ，Ｍ，Ｙ，Ｋは、クリアトナー及びＣ，Ｍ，Ｙ，Ｋの各トナーのそれぞれについて、各画素における濃度値から換算される濃度率を表すものである。即ち、式１によって、Ｃ，Ｍ，Ｙ，Ｋの各トナーの総付着量にクリアトナーの付着量を加えた総付着量を、表面効果を与える対象の領域を構成する全ての画素について１００％にする。なお、Ｃ，Ｍ，Ｙ，Ｋの各トナーの総付着量が１００％以上である場合には、クリアトナーは付着させずに、その濃度率は０％にする。これは、Ｃ，Ｍ，Ｙ，Ｋの各トナーの総付着量が１００％を超えている部分は定着処理により平滑化されるためである。このように、表面効果を与える対象の領域を構成する全ての画素上の総付着量を１００％以上にすることで、当該対象の領域においてトナーの総付着量の差による表面の凸凹がなくなり、この結果、光の正反射による光沢が生じるのである。但し、インバースマスクには、式１以外により求められるものがあり、インバースマスクの種類は複数有り得る。
【０１９７】
例えば、インバースマスクは、各画素にクリアトナーを均一に付着させるものであってもよい。この場合のインバースマスクは、ベタマスクともいい、以下の式２で表される。
Ｃｌｒ＝１００・・・(式２)
【０１９８】
尚、表面効果を与える対象の画素の中でも、１００％以外の濃度率が対応付けられるものがあるようにしても良く、ベタマスクのパターンは複数有り得る。
【０１９９】
また、例えばインバースマスクは、各色の地肌露出率の乗算により求められるものであってもよい。この場合のインバースマスクは、例えば以下の式３で表される。
【０２００】
Ｃｌｒ＝１００×｛（１００−Ｃ）／１００｝×｛（１００−Ｍ）／１００｝×｛（１００−Ｙ）／１００｝×｛（１００−Ｋ）／１００｝・・・(式３)
【０２０１】
上記式３において、（１００−Ｃ）／１００は、Ｃの地肌露出率を示し、（１００−Ｍ）／１００は、Ｍの地肌露出率を示し、（１００−Ｙ）／１００は、Ｙの地肌露出率を示し、（１００−Ｋ）／１００はＫの地肌露出率を示す。
【０２０２】
また、例えばインバースマスクは、最大面積率の網点が平滑性を律すると仮定した方法により求められるものであってもよい。この場合のインバースマスクは、例えば以下の式４で表される。
【０２０３】
Ｃｌｒ＝１００−max（Ｃ，Ｍ，Ｙ，Ｋ）・・・(式４)
【０２０４】
上記式４において、max（Ｃ，Ｍ，Ｙ，Ｋ）は、ＣＭＹＫのうち最大の濃度値を示す色の濃度値が代表値となることを示す。
【０２０５】
要するに、インバースマスクは、上記式１〜式４の何れかの式により表されるものであればよい。
【０２０６】
表面効果選択テーブルは、表面効果を示す光沢制御値としての濃度値と当該表面効果の種類の対応関係を示すと共に、これらと、情報処理システムの構成に応じた後処理機に関する制御情報と、プリンタ機５０で用いるクリアトナー版の画像データ及び後処理機で用いるクリアトナー版の画像データとの対応関係を示すテーブルである。情報処理システムの構成は、様々に異なり得る。
【０２０７】
本実施の形態においては、プリンタ機５０に後処理機として、グロッサ７０、通常定着後処理装置８０、及び低温定着後処理装置９０が接続される構成である。このため、情報処理システムの構成に応じた後処理機に関する制御情報とは、グロッサ７０のオン又はオフを示すオンオフ情報となる。また、後処理機で用いるクリアトナー版の画像データとしては、通常定着後処理装置８０、及び低温定着後処理装置９０、の各々で用いるクリアトナー版データがある。
【０２０８】
図２２は、表面効果選択テーブルのデータ構成を例示する図である。尚、表面効果選択テーブルは、異なる情報処理システムの構成毎に、後処理機に関する制御情報と、プリンタ機５０で用いるクリアトナー版１のクリアトナー版データ、通常定着後処理装置８０で用いるクリアトナー版２のクリアトナー版データ、及び低温定着後処理装置９０で用いるクリアトナー版３のクリアトナー版データと、濃度値及び表面効果の種類との対応関係を示すように構成され得る。
【０２０９】
図２２では、本実施の形態に係る情報処理システムの構成に応じたデータ構成を例示している。同図に示される表面効果の種類及び濃度値の対応関係においては、濃度値の範囲毎に表面効果の各種類が対応付けられている。また、その濃度値の範囲の代表となる値（代表値）から換算される濃度の割合（濃度率）に対して２％単位で表面効果の各種類が対応付けられている。具体的には、濃度率が８４％以上となる濃度値の範囲（「２１２」〜「２５５」）に対して光沢を与える表面効果（鏡面効果及びベタ効果）が対応付けられており、濃度率が１６％以下となる濃度値の範囲（「１」〜「４３」）に対して光沢を抑える表面効果（網点マット及びつや消し）が対応付けられている。また、濃度率が２０％〜８０％となる濃度値の範囲には、テクスチャや地紋透かしなどの表面効果が対応付けられている。
【０２１０】
より具体的には、例えば、「２３８」〜「２５５」の画素値に対しては表面効果として鏡面光沢（ＰＭ：Ｐｒｅｍｉｕｍ  Ｇｒｏｓｓ）が対応付けられており、このうち、「２３８」〜「２４２」の画素値、「２４３」〜「２４７」の画素値及び「２４８」〜「２５５」の画素値の３つの範囲に対して各々異なるタイプの鏡面光沢が対応付けられている。
【０２１１】
また、「２１２」〜「２３２」の画素値に対しては、ベタ光沢（Ｇ：Ｇｒｏｓｓ）が対応付けられており、このうち、「２１２」〜「２１６」の画素値、「２１７」〜「２２１」の画素値、「２２２」〜「２２７」の画素値及び「２２８」〜「２３２」の画素値の４つの範囲に対して各々異なるタイプのベタ光沢が対応付けられている。また、「２３」〜「４３」の画素値に対しては、網点マット（Ｍ：Ｍａｔｔ）が対応付けられており、このうち、「２３」〜「２８」の画素値、「２９」〜「３３」の画素値、「３４」〜「３８」の画素値及び「３９」〜「４３」の画素値の４つの範囲に対して各々異なるタイプの網点マットが対応付けられている。
【０２１２】
また、「１」〜「１７」の画素値に対しては、つや消し（ＰＭ：Ｐｒｅｍｉｕｍ  Ｍａｔｔ）が対応付けられており、このうち、「１」〜「７」の画素値、「８」〜「１２」の画素値及び「１３」〜「１７」の画素値の３つの範囲に対して各々異なるタイプのつや消しが対応付けられている。
【０２１３】
これらの同一の表面効果の異なるタイプはプリンタ機５０や低温定着機９０で使用するクリアトナー版の画像データを求める式に違いがあり、プリンタ本体や後処理機の動作は同じである。尚、「０」の濃度値には、表面効果を与えないことが対応付けられている。
【０２１４】
また、図２２には、画素値及び表面効果に対応して、グロッサ７０のオン又はオフを示すオンオフ情報と、プリンタ機５０で用いるクリアトナー版１の画像データ、通常定着後処理装置８０で用いるクリアトナー版２のクリアトナー版データ、及び低温定着後処理装置９０で用いるクリアトナー版３のクリアトナー版データと、が各々示されている。
【０２１５】
例えば、表面効果が鏡面光沢である場合、グロッサ７０をオンにすることが示されると共に、プリンタ機５０で用いるクリアトナー版１の画像データは、インバースマスクを表すものであり、通常定着後処理装置８０及び低温定着後処理装置９０で用いるクリアトナー版２及びクリアトナー版３のクリアトナー版データは、ないことが示されている。当該インバースマスクは、例えば上述した式１により求められるものである。
【０２１６】
また、濃度値が「２２８」〜「２３２」であり表面効果がベタ光沢である場合、グロッサ７０をオフにすることが示されていると共に、プリンタ機５０で用いるクリアトナー版１の画像データは、インバースマスク１であり、低温定着機９０で用いるクリアトナー版２の画像データは、ないことが示されている。
【０２１７】
なお、当該インバースマスク１は、上記式１〜式４の何れかの式により表されるものであればよい。これはグロッサ７０がオフなので平滑化されるトナーの総付着量が異なるため、鏡面光沢により表面の凹凸が増え、その結果、鏡面光沢により光沢度が低いベタ光沢が得られる。また、表面効果が網点マットである場合、グロッサ７０をオフにすることが示されていると共に、プリンタ機５０で用いるクリアトナー版１の画像データは、ハーフトーン（網点）を表すものであり、通常定着後処理装置８０及び低温定着後処理装置９０で用いるクリアトナー版２及びクリアトナー版３のクリアトナー版データは、ないことが示されている。
【０２１８】
また、表面効果がつや消しである場合、グロッサ７０をオン又はオフのいずれにしても良いことが示されていると共に、プリンタ機５０で用いるクリアトナー版１のクリアトナー版データ、及び通常定着後処理装置８０で用いるクリアトナー版２のクリアトナー版データは無く、低温定着後処理装置９０で用いるクリアトナー版３のクリアトナー版データは、ベタマスクを表すものであることが示されている。当該ベタマスクは、例えば上述の式２により求められるものである。
【０２１９】
図２１に戻り、クリアプロセッシング１０８は、上述した表面効果選択テーブルを参照して、光沢制御版によって示される各画素値に対応付けられている表面効果を判断すると共に、グロッサ７０のオン又はオフを判断して、プリンタ機５０、通常定着後処理装置８０、及び低温定着後処理装置９０でどのようなクリアトナー版データを用いるかを判断する。なお、クリアプロセッシング１０８は、グロッサ７０のオン又はオフの判断を１ページ毎に行う。そして、上述したように、クリアプロセッシング１０８は、当該判断の結果に応じて、クリアトナー版データを適宜生成してこれを出力すると共に、グロッサ７０に対するオンオフ情報を出力する。
【０２２０】
ｓｉ３部１０９は、ハーフトーン処理後のＣＭＹＫの各２ビットの有色版データと、クリアプロセッシング１０８が生成した２ビットのクリアトナー版データとを統合し、統合した画像データを、ＭＩＣ４０に出力する。
【０２２１】
なお、クリアプロセッシング１０８は、プリンタ機５０で用いるクリアトナー版データ、通常定着後処理装置８０で用いるクリアトナー版データ、及び低温定着後処理装置９０で用いるクリアトナー版データの内、少なくとも１種を生成しない場合がある。このため、クリアプロセッシング１０８が生成した方のクリアトナー版データがｓｉ３部１０９で統合され、クリアトナー版データをクリアプロセッシング１０８が生成していない場合には、ｓｉ３部１０９からはＣＭＹＫの各２ビットの有色版データが統合された画像データが出力される。この結果、ＤＦＥ３０からは各々２ビットの４つ〜７つの画像データがＭＩＣ４０へ送り出されることになる。
【０２２２】
また、ｓｉ３部１０９は、クリアプロセッシング１０８が出力したグロッサ７０に対するオンオフ情報もＭＩＣ４０に出力する。
【０２２３】
ＭＩＣ４０は、ＤＦＥ３０とプリンタ機５０とに接続される。ＭＩＣ４０は、後処理機７５として搭載されている装置構成を示す装置構成情報をＤＥＦ３０に出力する。また、ＭＩＣ４０は、有色版データ、クリアトナー版データをＤＦＥ３０から受信して各画像データを対応する装置に振り分けるとともに、後処理機７５の制御を行う。
【０２２４】
より具体的には、ＭＩＣ４０は、図２３に例示されるように、ＤＦＥ３０から出力された画像データのうちＣＭＹＫの有色版データをプリンタ機５０に出力し、プリンタ機５０で用いるクリアトナー版データがある場合にはこれもプリンタ機５０に出力し、ＤＦＥ３０から出力されたオンオフ情報を用いて、グロッサ７０をオン又はオフにする。また、ＭＩＣ４０は、通常定着後処理装置８０で用いるクリアトナー版データがある場合にはこれを通常定着後処理装置８０に出力する。また、ＭＩＣ４０は、低温定着後処理装置９０で用いるクリアトナー版データがある場合にはこれを低温定着後処理装置９０に出力する。
【０２２５】
グロッサ７０はオンオフ情報によって定着を行う経路と行わない経路とを切り替えても良い。通常定着後処理装置８０及び低温定着後処理装置９０は、クリアトナー版データの有無によってオン又はオフの切り替えやグロッサ７０と同様の経路の切り替えをしても良い。
【０２２６】
なお、プリンタ機５０は、図２３に示すように、電子写真方式の複数の感光体５１Ｂ、感光体５１Ｂ上に形成されたトナー像を転写される転写ベルト５１Ｃ、転写ベルト５１Ｃ上のトナー像を記録媒体に転写する転写装置５１Ｄ、及び記録媒体上のトナー像を該記録媒体に定着させる定着装置５１Ａを備える。また、通常定着後処理装置８０は、電子写真方式の感光体８０Ａ及び感光体８０Ａから転写されたトナー像を記録媒体に定着させる定着装置８０Ｂを備える。低温定着後処理装置９０は、電子写真方式の感光体９０Ａ及び感光体９０Ａから転写されたトナー像を記録媒体に定着させる定着装置９０Ｂを備える。記録媒体は、図示を省略する搬送部材によって搬送されることで、プリンタ機５０、通常定着後処理装置８０、低温定着後処理装置９０の設けられている位置を、この順に搬送される。そして、これらの装置によって順次処理が行われることで、記録媒体には、画像形成及び表面効果の付与がなされる。
【０２２７】
次に、本実施の形態に係るＤＦＥ３０が行う処理の手順を説明する。
【０２２８】
図２４は、ＤＦＥ３０が実行する処理の手順を示すフローチャートである。
【０２２９】
まず、ＤＦＥ３０が、ホスト装置１１から画像データを受信する（ステップＳ１）。次に、レンダリングエンジン１０１は、これを言語解釈して、ベクター形式で表現される画像データをラスター形式に変換すると共に、ＲＧＢ形式で表現された色空間をＣＭＹＫ形式の色空間に変換して、ＣＭＹＫの色版の各８ビットの有色版データ、８ビットの光沢制御版データ、及び８ビットのクリア版データを得る（ステップＳ２）。
【０２３０】
ステップＳ２では、レンダリングエンジン１０１は、オブジェクトごとに表面効果を特定する濃度値が指定された光沢制御版データを、オブジェクトを構成する画素ごとに濃度値が指定された光沢制御版データに変換する。
【０２３１】
ここで、光沢制御版データに、優先情報が付与されている場合には、レンダリングエンジン１０１は、オブジェクトごとに表面効果を特定する濃度値が指定された光沢制御版データを、オブジェクトを構成する画素ごとに、濃度値及び優先情報が指定された光沢制御版データに変換する。
【０２３２】
図２５は、優先情報の付与された光沢制御版データの、各画素データの一例を示す図である。各画素データは、各画素の位置座標と、各画素の濃度値と、優先情報と、を含む。なお、優先情報は、ｔａｇｂｉｔに含めた構成としてもよい。
【０２３３】
ここで、簡単にｔａｇｂｉｔを光沢制御版とクリア版を例に説明する。例えば光沢制御版の各画素８ｂｉｔに対し、別途、各画素１ｂｉｔの光沢制御版ｔａｇｂｉｔを持ち、光沢制御版がクリア版より優先する画素を“１”、それ以外を“０”に設定する。光沢制御版、クリア版及び光沢制御版ｔａｇｂｉｔの各画素を参照し、光沢制御版ｔａｇｂｉｔが“１”の場合、光沢制御版のデータを優先し、光沢制御版ｔａｇｂｉｔが“０”の場合、クリア版のデータを優先することで狙いの画像を得ることができる。
【０２３４】
図２４に戻り、次に、ＤＦＥ３０のＴＲＣ１０３は、ＣＭＹＫの色版の各８ビットの有色版データに対してキャリブレーションにより生成された１Ｄ＿ＬＵＴのガンマカーブでガンマ補正を行い、ハーフトーンエンジン１０５はガンマ補正後の有色版データに対して、プリンタ機７０に出力するためのＣＭＹＫ各２ビットの有色版データのデータ形式に変換するハーフトーン処理を行い、ハーフトーン処理後のＣＭＹＫの各２ビットの有色版データを得る（ステップＳ３）。
【０２３５】
次に、ＤＦＥ３０のクリアプロセッシング１０８は、８ビットの光沢制御版データを用いて、表面効果選択テーブルを参照して、光沢制御版データによって示される各画素値に対して指定された表面効果を判断する。そして、クリアプロセッシング１０８は、光沢制御版データを構成する全ての画素について、このような判断を行う。
【０２３６】
なお、光沢制御版データは、各表面効果を与える領域を構成する全ての画素について基本的に同一の範囲の濃度値を表す。このため、同一の表面効果であると判断した近傍の画素については、クリアプロセッシング１０８は、同一の表面効果を与える領域に含まれるものとして判断する。このようにして、クリアプロセッシング１０８は、表面効果を与える領域と、当該領域に対して与える表面効果の種類とを判断する。そして、クリアプロセッシング１０８は、当該判断に応じて、グロッサ７０のオン又はオフを決定する（ステップＳ４）。
【０２３７】
次に、ＤＦＥ３０のクリアプロセッシング１０８は、クリアトナーを付着させるための２ビットのクリアトナー版データを適宜生成する（ステップＳ５）（詳細後述）。
【０２３８】
次に、ＤＦＥ３０のＳｉ３部１０９は、ステップＳ３で得たハーフトーン処理後のＣＭＹＫの各２ビットの有色版データと、ステップＳ５で生成した２ビットのクリアトナー版データとを統合し、統合した画像データと、ステップＳ４で決定したグロッサ７０のオン又はオフを示すオンオフ情報とをＭＩＣ４０に対して出力する（ステップＳ６）。
【０２３９】
そして、本ルーチンを終了する。
【０２４０】
次に、上記ステップＳ５のクリアトナー版生成処理を説明する。
【０２４１】
図２６は、クリアトナー版生成処理の手順を示すフローチャートである。
【０２４２】
まず、クリアトナー版生成部１０８Ａが、ページ単位でに、クリア版データと光沢制御版データが重なるか否かを、同じ画素位置の画素毎に判断する(ステップＳ５００)。ステップＳ５００では、クリアトナー版生成部１０８Ａは、クリア版データの各画素と、光沢制御版データの対応する同じ位置の画素と、の双方に濃度値が設定されているか否かを判別することで、ステップＳ５００の判断を行う。
【０２４３】
次に、クリアトナー版生成部１０８Ａは、ステップＳ５００で肯定判断した画素位置の画素について、光沢制御版データがクリア版データに対して優先するか否かを判断する（ステップＳ５０２）。クリアトナー版生成部１０８Ａは、光沢制御版データにおける、ステップＳ５００で肯定判断した該画素位置の画素データに、優先情報として「優先」を示す情報が含まれるか否かを判別することで、ステップＳ５０２の判断を行う。
【０２４４】
ステップＳ５０２で肯定判断すると（ステップＳ５０２：Ｙｅｓ）、ステップＳ５０４へ進む。ステップＳ５０４では、クリアトナー版生成部１０８Ａは、ステップＳ５００で肯定判断した画素位置の画素データとして、光沢制御版データにおける該画素位置の画素データを採用することで、排他処理を行う（ステップＳ５０４）。そして、後述するステップＳ５１０へ進む。
【０２４５】
一方、上記ステップＳ５０２で否定判断すると（ステップＳ５０２：Ｎｏ）、ステップＳ５０６へ進む。ステップＳ５０６では、クリアトナー版生成部１０８Ａは、ステップＳ５００で肯定判断した画素位置の画素データとして、クリア版データにおける該画素位置の画素データを採用することで、排他処理を行う（ステップＳ５０６）。そして、後述するステップＳ５１０へ進む。
【０２４６】
一方、上記ステップＳ５００で否定判断した場合には（ステップＳ５００：Ｎｏ）、ステップＳ５００で否定判断した画素位置の画素データとして、光沢制御版データ及びクリア版データの内、画素データに濃度値（０を超える値の濃度値）が存在する方の画素データを採用する。そして、ステップＳ５１０へ進む。
【０２４７】
ステップＳ５１０では、クリアトナー版生成部１０８Ａが、上記ステップＳ５００〜ステップＳ５０８の処理によって採用された各画素位置の画素データからなる、クリアトナーを付着させるための８ビットの画素データを、２ビットの画素データに変換することで、２ビットのクリアトナー用の版データを生成する（ステップＳ５１０）。
【０２４８】
そして、クリアトナー版生成部１０８Ａは、上記排他処理を行うことによって生成した版データと、ＣＭＹＫの各８ビットの有色版データを用いて、インバースマスクやベタマスクを適宜生成することにより、クリアトナーを付着させるための２ビットのクリアトナーを生成する（ステップＳ５１２）。そして、本ルーチンを終了する。
【０２４９】
ＭＩＣ４０は、ＤＦＥ３０から出力された画像データであるＣＭＹＫの色版の有色版データ、ベタ光沢が指定された領域に対してプリンタ機５０で用いるクリアトナー版データおよび鏡面光沢が指定された領域に対してプリンタ機５０で用いるクリアトナー版データをプリンタ機５０に出力し、ＤＦＥ３０から出力されたオンオフ情報を用いて、グロッサ７０をオフにする。また、ＭＩＣ４０は、ＤＦＥ３０から出力された画像データのうち、透かし文字、地紋パターン、触感パターン、及び網点マットが指定された領域に対して通常定着後処理装置８０で用いるクリアトナー版データを通常定着後処理装置８０に出力する。また、ＭＩＣ４０は、ＤＦＥ３０から出力された画像データのうち、つや消しが指定された領域に対して低温定着後処理装置９０で用いるクリアトナー版データを低温定着後処理装置９０に出力する。
【０２５０】
プリンタ機５０は、ＭＩＣ４０から出力されたＣＭＹＫの色版の有色版データ、鏡面光沢が指定された領域に対してプリンタ機５０で用いるクリアトナー版データおよびベタ光沢が指定された領域に対してプリンタ機５０で用いるクリアトナー版データを用いて、記録媒体に、ＣＭＹＫのトナー及びクリアトナーを付着させた画像を形成する。
【０２５１】
また、通常定着後処理装置８０は、ＭＩＣ４０から出力された、透かし文字、地紋パターン、触感パターンの指定された領域に対するクリアトナー版データを用いて、これらの領域に対してクリアトナーによるトナー像を形成して、記録媒体上に当該クリアトナー像を重ねて、低温での加熱及び加圧により記録媒体に定着させる。
【０２５２】
また、低温定着後処理装置９０は、ＭＩＣ６０から出力された、つや消しが指定された領域に対するクリアトナー版データを用いて、つや消しの領域に対してクリアトナーによるトナー像を形成して、記録媒体上に当該クリアトナー像を重ねて、低温での加熱及び加圧により記録媒体に定着させる。
【０２５３】
以上の結果、記録媒体に、有色トナー及びクリアトナーが付着され、画像が形成される。
【０２５４】
以上説明したように、本実施の形態の情報処理装置１２では、ホスト装置１１に設けられた優先情報付与部２００Ｉが、光沢制御版データによって特定される第１領域と、クリア版データによって特定される第２領域と、の重複する重複領域について、何れの領域を優先するかを示す優先情報を、光沢制御版データに付与する。そして、クリアトナー版生成部１０８Ａは、重複領域については、優先情報によって優先とされた光沢制御版データまたはクリア版データの濃度値を用い、重複領域以外については、該領域に濃度値の設定されている光沢制御版データまたはクリア版データの濃度値を用いて、クリアトナー版データを生成する。
【０２５５】
このため、本実施の形態では、クリアトナーを付与する領域が記録媒体上で重なる場合であっても、ユーザ所望の印刷画像の形成を容易に実現することができる。
【０２５６】
（実施の形態２）
なお、実施の形態１では、表示処理部１５をホスト装置１１に設けた構成である場合を説明したが、表示処理部１５を、ＤＦＥ３０に設けた構成であってもよい。
【０２５７】
図２７は、本実施の形態に係る情報処理システム１００Ａの概略構成例を示すブロック図である。図２７に示すように、情報処理システム１００Ａは、情報処理装置１２Ａ、及び印刷装置６０を備える。
【０２５８】
情報処理装置１２Ａは、ホスト装置１１Ａ、プリンタ制御装置（ＤＦＥ：Ｄｉｇｉｔａｌ  Ｆｒｏｎｔ  Ｅｎｄ）（以下、ＤＦＥと称する）３０Ａ、及びＭＩＣ４０を備える。ＭＩＣ４０及び印刷装置６０は、実施の形態１と同様である。
【０２５９】
ホスト装置１１Ａは、原稿データ生成部１０及び印刷データ生成部２０を備える。ホスト装置１１Ａは、表示処理部１５を備えない構成である以外は、実施の形態１のホスト装置１１と同じ構成である。
【０２６０】
ＤＦＥ３０Ａは、実施の形態１で説明した表示処理部１５に対応する表示処理部１５Ａを備えた以外は、実施の形態１のＤＦＥ３０と略同じである。
【０２６１】
図２８は、本実施の形態のＤＦＥ３０Ａの機能的構成を示す模式図である。
【０２６２】
ＤＦＥ３０Ａは、図２８に例示されるように、表示処理部１５Ａと、ＵＩ部１６Ａと、レンダリングエンジン１０１と、ｓｉ１部１０２と、ＴＲＣ１０３と、ｓｉ２部１０４と、ハーフトーンエンジン１０５と、クリアプロセッシング１０８と、ｓｉ３部１０９と、表面効果選択テーブル（不図示）とを有する。
【０２６３】
レンダリングエンジン１０１、ｓｉ１部１０２、ＴＲＣ１０３、ｓｉ２部１０４、ハーフトーンエンジン１０５、クリアプロセッシング１０８、ｓｉ３部１０９、及び表面効果選択テーブルは、実施の形態１と同じである。
【０２６４】
図２９は、表示処理部１５Ａと、ＵＩ部１６Ａと、を示す機能ブロック図である。
【０２６５】
表示処理部１５Ａは、受付部２００Ａに替えて受付部２０００Ａを備え、表示部９９Ｄに替えてＵＩ部１６Ａを備え、優先情報付与部２００Ｉに接続された送信部２００Ｎを更に備えた以外は、実施の形態１の表示処理部１５と同じ構成である。
【０２６６】
ＵＩ部１６Ａは、各種情報を表示すると共に、各種情報を受け付ける。ＵＩ部１６Ａは、実施の形態１の操作部９９Ｂと表示部９９Ｄの双方の機能を有するものが挙げられる。
【０２６７】
受付部２０００Ａは、ホスト装置１１Ａから、印刷データを受付け、印刷データに含まれる、光沢制御版データ、クリア版データ、及び有色版データを、解析部２００Ｌへ出力する。送信部２００Ｎは、優先情報付与部２００Ｉで優先情報の付与された光沢制御版データと、受付部２０００Ａで受け付けた、光沢制御版データ以外の情報（クリア版データ、有色版データ、及びＪＤＦ等）と、をレンダリングエンジン１０１へ出力する。
【０２６８】
なお、本実施の形態では、表示処理部１５Ａは、各種情報の表示及び各種情報の入力を、ＵＩ部１６Ａを介して行う。
【０２６９】
このように、ＤＦＥ３５Ａを、表示処理部１５Ａを備えた構成としてもよい。
【０２７０】
このような構成とすることで、本実施の形態では、ＤＦＥ３０Ａ側で、優先情報の設定を行うことができる。
【０２７１】
また、ホスト装置１１Ａ及びＤＦＥ３５Ａの双方に、表示処理部１５Ａを備えた構成としてもよい。
【０２７２】
（実施の形態３）
実施の形態３では、ＤＦＥ３０のクリアプロセッシングで、優先順位の設定情報を行う場合を説明する。
【０２７３】
図３０は、本実施の形態に係る情報処理システム１００Ｂの概略構成例を示すブロック図である。図３０に示すように、情報処理システム１００Ｂは、情報処理装置１２Ｂ、及び印刷装置６０を備える。
【０２７４】
情報処理装置１２Ｂは、ホスト装置１１Ａ、プリンタ制御装置（ＤＦＥ：Ｄｉｇｉｔａｌ  Ｆｒｏｎｔ  Ｅｎｄ）（以下、ＤＦＥと称する）３０Ｂ、及びＭＩＣ４０を備える。ＭＩＣ４０及び印刷装置６０は、実施の形態１と同様である。また、ホスト装置１１Ａは、実施の形態２と同じである。
【０２７５】
図３１は、本実施の形態のＤＦＥ３０Ｂの機能的構成を示す模式図である。
【０２７６】
ＤＦＥ３０Ｂは、図３１に例示されるように、ＵＩ部６０８６と、レンダリングエンジン１０１と、ｓｉ１部１０２と、ＴＲＣ１０３と、ｓｉ２部１０４と、ハーフトーンエンジン１０５と、クリアプロセッシング１０８Ｂと、ｓｉ３部１０９と、表面効果選択テーブル（不図示）とを有する。ＵＩ部６０８６は、実施の形態２のＵＩ部１６Ａと同様である。
【０２７７】
ＤＦＥ３０Ｂは、クリアプロセッシング１０８に替えて、クリアプロセッシング１０８Ｂを設けた以外は、実施の形態１のＤＦＥ３０と同じである。
【０２７８】
クリアプロセッシング１０８Ｂは、光沢制御版データを用いて、表面効果選択テーブルを参照して、光沢制御版データを構成する各画素の表す濃度値（画素値）に対する表面効果を判断して、当該判断に応じて、グロッサ７０のオン又はオフを決定する。
【０２７９】
また、クリアプロセッシング１０８Ｂは、表示処理部６０８０、記憶部６０８４、及びクリアトナー版生成部６０８２を備える。クリアトナー版生成部６０８２は、表示処理部６０８０から受け付けた、優先情報の付与された光沢制御版データを用いる以外は、実施の形態１のクリアトナー版生成部１０８Ａと同じである。
【０２８０】
記憶部６０８４は、各種データを記憶する。表示処理部６０８０は、表示制御部６０８０Ａ、受付部６０８０Ｂ、及び優先情報付与部６０８０Ｃを備える。
【０２８１】
表示制御部６０８０Ａは、表示画像生成部６０８２Ａ、及び合成画像生成部６０８４Ａを備える。表示画像生成部６０８２Ａは、クリアプロセッシング１０８Ｂで受け付けた８ビットの光沢制御版データ、８ビットのクリア版データ、及び８ビットのクリア版データから、ＵＩ部６０８６で表示するための表示用画像を生成し、ＵＩ部６０８６に表示する。この表示画像生成部６０８２Ａは、実施の形態１の表示画像生成部２００Ｍと同様にして、クリアトナーを付与する領域を水色や青色等の表示色に変換した第２クリア版データ及び第２光沢制御版データを生成することで、表示用画像を生成する。
【０２８２】
合成画像生成部６０８４Ａは、実施の形態１の合成画像生成部２００Ｈと同様にして、有色版データ、第２クリア版データ、及び第２有色版データを合成した合成画像を、ＵＩ部６０８６に表示する。
【０２８３】
これによって、ＵＩ部６０８６には、実施の形態１と同様に、例えば、図１９に示す合成画像が表示される。
【０２８４】
優先情報付与部６０８０Ｃは、実施の形態１の優先情報付与部２００Ｉと同様に、ＵＩ部６０８６を介して受付部６０８０Ｂで受け付けた優先情報を、光沢制御版データに付与する。具体的には、光沢制御版データの、各画素位置の画素データを、設定された優先情報を含む画素データに変換することで、優先情報を付与する。
【０２８５】
これによって、優先情報を付与された光沢制御版データの、各画素データは、実施の形態１でも説明したように、図２５に示すデータ構造となる。なお、優先情報は、ｔａｇｂｉｔに含めた構成としてもよい。
【０２８６】
図３１に戻り、そして、クリアプロセッシング１０８Ｂのクリアトナー版生成部６０８２は、表示処理部６０８０で画素毎に優先情報の付与された光沢制御版データと、ｓｉ１部１０２やｓｉ２部１０４から受け付けたクリア版データ及び有色版データと、から、クリアトナー版を生成する。
【０２８７】
次に、表示処理部６０８０が実行する優先情報付与処理を説明する。図３２は、表示処理部６０８０が実行する優先情報付与処理の手順を示す、フローチャートである。
【０２８８】
まず、表示処理部６０８０が、ｓｉ１部１０２から受け付けた、８ビットの光沢制御版データを読取る（ステップＳ６００）。
【０２８９】
次に、表示画像生成部６０８２Ａは、読み取った８ビットの光沢制御版データについて、同じ濃度の画素毎に分類することで、光沢制御版データを、同じ表面効果の種類の設定されたオブジェクト毎に分類する（ステップＳ６０２）。
【０２９０】
次に、表示処理部６０８０は、ｓｉ１部１０２から受け付けた、８ビットのクリア版データを読取る（ステップＳ６０４）。
【０２９１】
次に、表示画像生成部６０８２Ａは、読み取った８ビットのクリア版データについて、同じ濃度の画素毎に分類することで、クリア版データを、同じ濃度の設定されたオブジェクト（透明画像）毎に分類する（ステップＳ６０６）。
【０２９２】
次に、表示画像生成部６０８２Ａは、実施の形態１の表示画像生成部２００Ｍと同様にして、上記ステップＳ６０２及びステップＳ６０６で分類した領域（オブジェクト）毎に、各領域の色を、各濃度値に対応する表示色として予め設定した水色や青色等の表示色に変換した、第２クリア版データ及び第２光沢制御版データを生成することで、表示画像を生成する（ステップＳ６１０）。
【０２９３】
次に、合成画像生成部６０８４Ａは、実施の形態１の合成画像生成部２００Ｈと同様にして、有色版データ、第２クリア版データ、及び第２有色版データを合成した合成画像を、ＵＩ部６０８６に表示する（ステップＳ６１２、ステップＳ６１４）。
【０２９４】
次に、優先情報付与部６０８０Ｃが、光沢制御版データに優先情報を付与する、優先設定処理を実行する（ステップＳ６１６）。これによって、光沢制御版データを構成する各画素の画素データに優先情報が付与される（詳細後述）。
【０２９５】
次に、優先情報付与部６０８０Ｃは、優先情報を付与した光沢制御版データをクリアトナー版生成部６０８２へ送信し（ステップＳ６１８）、本ルーチンを終了する。
【０２９６】
次に、上記ステップＳ６１６の優先設定処理について詳細に説明する。図３３は、優先設定処理の手順を示すフローチャートである。
【０２９７】
優先情報付与部６０８０Ｃは、実施の形態１の優先情報付与部２００Ｉと同様にして、優先設定処理を行う。
【０２９８】
具体的には、優先情報付与部６０８０Ｃは、合成画像生成部６０８４Ａから受け付けた、合成画像を、ＵＩ部６０８６に表示する（ステップＳ６５１）。
【０２９９】
これによって、実施の形態１と同様に、図１９に示す合成画像がＵＩ部６０８６に表示される。
【０３００】
図３３に戻り、次に、ステップＳ６５２において、優先情報付与部６０８０Ｃは、光沢制御版データにおける、設定対象ページ内の全てのオブジェクト（同じ濃度値として分類された各領域）について、優先情報の設定が完了したか否かを判断する（ステップＳ６５２）。
【０３０１】
次に、優先情報付与部６０８０Ｃは、光沢制御版データにおける、設定対象ページ内のオブジェクトの内の少なくとも１つが指定されたか否かを判断する（ステップＳ６５４）。ステップＳ６５４で肯定判断すると（ステップＳ６５４：Ｙｅｓ）、ステップＳ６５６へ進み、ステップＳ６５４で否定判断すると（ステップＳ６５４：Ｎｏ）、ステップＳ６５８へ進む。
【０３０２】
ステップＳ６５６では、優先情報付与部６０８０Ｃが、指定された、光沢制御版データにおける設定対象ページ内の、ステップＳ６５４で指定されたオブジェクトに対応する領域の画素位置を示す情報を、図示を省略するメモリに記憶する（ステップＳ６５６）。
【０３０３】
次に、優先情報付与部６０８０Ｃは、クリア版データにおける、設定対象ページ内のオブジェクト（同じ濃度値として分類された各領域）の内の少なくとも１つが指定されたか否かを判断する（ステップＳ６５８）。
【０３０４】
ステップＳ６５８で肯定判断すると（ステップＳ６５８：Ｙｅｓ）、ステップＳ６６０へ進み、ステップＳ６５８で否定判断すると（ステップＳ６５８：Ｎｏ）、ステップＳ６６２へ進む。
【０３０５】
ステップＳ６６０では、優先情報付与部６０８０Ｃが、指定された、クリア版データにおける設定対象ページ内の、ステップＳ６５８で指定されたオブジェクトに対応する領域の画素位置を示す情報を、図示を省略するメモリに記憶する（ステップＳ６６０）。
【０３０６】
次に、優先情報付与部６０８０Ｃは、光沢制御版データ内のオブジェクト（同じ濃度値として分類された各領域）と、クリア版データ内のオブジェクト（同じ濃度値として分類された各領域）と、の双方が指定済であるか否かを判断する(ステップＳ６６２)。
【０３０７】
上記ステップＳ６６２で否定判断すると、上記ステップＳ６５４へ戻り、上記ステップＳ６６２で肯定判断すると、ステップＳ６６４へ進む。
【０３０８】
ステップＳ６６４では、上記ステップＳ６５４〜ステップＳ６６２の処理によって指定された、光沢制御版データのオブジェクト（第１領域）と、クリア版データのオブジェクト（第２領域）と、の重複領域について、何れの領域（オブジェクト）を優先させるかを示す優先情報の指定がなされたか否かを判断する（ステップＳ６６４）。
【０３０９】
優先情報付与部６０８０Ｃは、ステップＳ６６４で肯定判断（ステップＳ６６４：Ｙｅｓ）するまで否定判断（ステップＳ６６４：Ｎｏ）を繰り返す。そして、ステップＳ６６４で肯定判断（ステップＳ６６４：Ｙｅｓ）すると、ステップＳ６６６へ進み、上記ステップＳ６５４で指定された、光沢制御版データのオブジェクト（第１領域）を示す情報と、ステップＳ６５８で指定された、クリア版データのオブジェクト（第２領域）を示す情報と、第１領域に対して第２領域が優先するか否か（非優先）を示す優先情報と、を図示を省略するメモリに記憶する（ステップＳ６６６）。そして、上記ステップＳ６５１へ戻る。
【０３１０】
一方、上記ステップＳ６５２で肯定判断されると（ステップＳ６５２：Ｙｅｓ）、ステップＳ６６８へ進む。ステップＳ６６８では、優先情報付与部６０８０Ｃが、光沢制御版データに、各オブジェクト（第１領域、同一濃度として分類された各領域）の優先情報を付与する（ステップＳ６６８）。
【０３１１】
ステップＳ６６８では、詳細には、優先情報付与部６０８０Ｃは、上記ステップＳ６６６でメモリに格納された情報に基づいて、光沢制御版データにおける、設定対象ページの、同一濃度として分類された各領域（第１領域、オブジェクト）を構成する各画素の画素データに、例えば、ｔａｇｂｉｔとして、対応する優先情報（優先または非優先を示す優先情報）を付与する。これによって、設定対象ページの光沢制御版データは、各画素毎に、重複する透明画像に対して優先であるか、非優先であるか、を示す優先情報の付与された状態となる。
【０３１２】
次に、優先情報付与部６０８０Ｃは、光沢制御版データの全頁について、優先情報が付与されることで、全頁終了したか否かを判断する（ステップＳ６７０）。ステップＳ６７０で否定判断すると（ステップＳ６７０；Ｎｏ）、ステップＳ６７２へ進む。ステップＳ６７２では、優先情報を設定する対象のページを、前回とは異なるページに切替える（ステップＳ６７２）。そして、上記ステップＳ６５１へ戻る。一方、ステップＳ６７０で肯定判断すると（ステップＳ６７０：Ｙｅｓ）、本ルーチンを終了する。
【０３１３】
ステップＳ６５０〜ステップＳ６７２の処理が実行されることによって、光沢制御版データには、含まれるオブジェクト（第１領域）を構成する各画素毎に、優先情報が付与された状態となる。
【０３１４】
次に、本実施の形態のクリアトナー版生成部６０８２が実行する、クリアトナー版生成処理を説明する。クリアトナー版生成部６０８２は、実施の形態１のクリアトナー版生成部１０８Ａが実行する処理（図２６参照）と同様の処理を行うことで、クリアトナー版を生成する。なお、異なる点は、本実施の形態では、クリアトナー版生成部６０８２は、表示処理部６０８０から受け付けた、優先情報の付与された光沢制御版データを用いて、クリアトナー版生成を行う点である。
【０３１５】
図３４は、本実施の形態のクリアトナー版生成部６０８２が実行する、クリアトナー版生成処理の手順を示すフローチャートである。
【０３１６】
まず、クリアトナー版生成部６０８２が、ページ単位で、クリア版データと光沢制御版データが重なるか否かを、上記ステップＳ５００と同様にして、同じ画素位置の画素毎に判断する(ステップＳ７００)。
【０３１７】
次に、クリアトナー版生成部６０８２は、ステップＳ７００で肯定判断した画素位置の画素について、光沢制御版データがクリア版データに対して優先するか否かを判断する（ステップＳ７０２）。クリアトナー版生成部６０８２は、光沢制御版データにおける、ステップＳ７００で肯定判断した該画素位置の画素データに、優先情報として「優先」を示す情報が含まれるか否かを判別することで、ステップＳ７０２の判断を行う。
【０３１８】
ステップＳ７０２で肯定判断すると（ステップＳ７０２：Ｙｅｓ）、ステップＳ７０４へ進む。ステップＳ７０４では、クリアトナー版生成部６０８２は、ステップＳ７００で肯定判断した画素位置の画素データとして、光沢制御版データにおける該画素位置の画素データを採用することで、排他処理を行う（ステップＳ７０４）。そして、後述するステップＳ７１０へ進む。
【０３１９】
一方、上記ステップＳ７０２で否定判断すると（ステップＳ７０２：Ｎｏ）、ステップＳ７０６へ進む。ステップＳ７０６では、クリアトナー版生成部６０８２は、ステップＳ７００で肯定判断した画素位置の画素データとして、クリア版データにおける該画素位置の画素データを採用することで、排他処理を行う（ステップＳ７０６）。そして、後述するステップＳ７１０へ進む。
【０３２０】
一方、上記ステップＳ７００で否定判断した場合には（ステップＳ７００：Ｎｏ）、ステップＳ７００で否定判断した画素位置の画素データとして、光沢制御版データ及びクリア版データの内、画素データに濃度値（０を超える値の濃度値）が存在する方の画素データを採用する。そして、ステップＳ７１０へ進む。
【０３２１】
ステップＳ７１０では、クリアトナー版生成部６０８２が、上記ステップＳ７００〜ステップＳ７０８の処理によって採用された各画素位置の画素データからなる、クリアトナーを付着させるための８ビットの画素データを、２ビットの画素データに変換することで、２ビットのクリアトナー用の版データを生成する（ステップＳ７１０）。
【０３２２】
そして、クリアトナー版生成部６０８２は、上記排他処理を行うことによって生成した版データと、ＣＭＹＫの各８ビットの有色版データを用いて、インバースマスクやベタマスクを適宜生成することにより、クリアトナーを付着させるための２ビットのクリアトナーを生成する（ステップＳ７１２）。そして、本ルーチンを終了する。
【０３２３】
そして、クリアプロセッシング１０８Ｂは、実施の形態１と同様にして、クリアトナー版生成部６０８２で生成された、プリンタ機５０で用いるクリアトナー版データと、通常定着後処理装置８０で用いるクリア版データと、低温定着後処理装置９０で用いるクリア版データと、を適宜生成してこれらを出力すると共に、グロッサ７０のオン又はオフを示すオンオフ情報を出力する。
【０３２４】
以上説明したように、光沢制御版データへの優先情報の付与を、ＤＦＥ３０Ｂのクリアプロセッシング１０８Ｂで実行してもよい。
【０３２５】
（実施の形態４）
実施の形態１〜実施の形態３では、ホスト装置１１、ホスト装置１１Ｂで原稿データを生成するように構成したが、これに限定されるものではない。
【０３２６】
すなわち、一の装置で行っていた複数の処理のいずれかを、一の装置とネットワークを介して接続する１以上の他の装置で行う構成にしてもよい。
【０３２７】
その一例として、本実施の形態に係る情報処理システムでは、ホスト装置の機能の一部を、ネットワーク上のサーバ装置上に実装している。
【０３２８】
図３５は、本実施の形態に係る情報処理システムの構成を例示する図である。図３５に示すように、本実施の形態の情報処理システム１００Ｄは、ホスト装置１１０と、ＤＦＥ３０と、ＭＩＣ４０と、印刷装置６０と、を備えている。
【０３２９】
本実施の形態では、ホスト装置１１０が、インターネット等のネットワークを介して、サーバ装置３０６０と接続された構成となっている。また、本実施の形態では、第１の実施の形態のホスト装置１１における原稿データ生成部１０の機能を、サーバ装置３０６０に設けた構成となっている。
【０３３０】
ここで、ホスト装置１１０、ＤＦＥ３０、ＭＩＣ４０、及び印刷装置６０の接続構成は、第１の実施の形態と同様である。
【０３３１】
すなわち、具体的には、第４の実施の形態では、ホスト装置１１０がインターネット等のネットワーク（クラウド）を介して、単一のサーバ装置３０６０に接続し、サーバ装置３０６０は、第１の実施の形態の原稿データ生成部１０の機能を設け、サーバ装置３０６０で、原稿データの生成処理を行うように構成している。
【０３３２】
まず、サーバ装置３０６０について説明する。図３６は、本実施の形態にかかるサーバ装置３０６０の機能的構成を示すブロック図である。サーバ装置３０６０は、記憶部３０７０と、原稿データ生成部３０６２と、記憶部３０７０と、通信部３０６５と、を主に備えている。
【０３３３】
記憶部３０７０は、ＨＤＤやメモリ等の記憶媒体であり、濃度値選択テーブルや表面効果選択テーブルを記憶する。
【０３３４】
通信部３０６５は、ホスト装置１１０との間で各種データや要求の送受信を行う。より具体的には、通信部３０６５は、ホスト装置１１０から、有色版データや、優先情報の付与された光沢制御版データ等を受信する。なお、有色版データや、優先情報の付与された光沢制御版データは、上記実施の形態と同様である。また、通信部３０６５は、生成された原稿データを、ホスト装置１１０へ送信する。
【０３３５】
原稿データ生成部３０６２は、実施の形態１における原稿データ生成部１０と同様の機能を有し、通信部３０６５を介して外部装置から受け付けた有色版データや、表面効果の指定情報、透明画像の指定情報、及び原稿データの生成要求や、優先情報の付与された光沢制御版データを、受け付ける。そして、受け付けた表面効果の指定情報、透明画像の指定情報から、クリア版データ及び光沢制御版データを生成する。これらのクリア版データ及び光沢制御版データの生成は、原稿データ生成部１０と同様にして行う。そして、原稿データ生成部３０６２は、原稿データを生成する。また、さらに、ホスト装置１１から、優先情報の付与された光沢制御版データを受け付けた場合には、原稿データ生成部３０６２は、クリア版優先情報の付与された光沢制御版データと、光沢制御版データ及び有色版データを含む原稿データを生成し、ホスト装置１１０へ送信する。
【０３３６】
次に、ホスト装置１１０について説明する。
【０３３７】
図３７は、ホスト装置１１０を示す機能ブロック図である。ホスト装置１１０は、表示部９９Ｄと、入力部９９Ａと、制御部３０１５と、Ｉ／Ｆ部３０１１と、を備える。制御部３０１５は、入力制御部１２４、画像処理部１２０、表示制御部１２１、記憶部１２３、及び表示処理部１５を備える。これらの表示部９９Ｄと、入力部９９Ａと、制御部３０１５と、Ｉ／Ｆ部３０１１と、を備える。制御部３０１５は、入力制御部１２４、画像処理部１２０、表示制御部１２１、記憶部１２３、及び表示処理部１５は、実施の形態１と同様である。
【０３３８】
Ｉ／Ｆ部３０１１は、ＤＦＥ３０と、サーバ装置３０６０と、各種データを送受信する。
【０３３９】
図３８は、ホスト装置１１０の制御部３０１５による、原稿データの生成処理の手順を示すフローチャートである。なお、本実施の形態では、クリア版データ及び光沢制御版データの双方を作成する場合を説明する。
【０３４０】
まず、入力制御部１２４が、画像指定情報の入力を受け付けた場合（ステップＳ８００：ＹＥＳ）、表示制御部１２１は、受け付けた画像指定情報で指定された画像を表示するように表示部９９Ｄを制御する（ステップＳ８０２）。次に、入力制御部１２４が表面効果の指定情報の入力を受け付けた場合（ステップＳ８０４：Ｙｅｓ）、記憶部１２３に記憶する（ステップＳ８０６）。
【０３４１】
次に、入力制御部１２４が透明画像の指定情報の入力を受け付けた場合（ステップＳ８１０：Ｙｅｓ）、版データ生成部１２２は、受け付けた指定情報を、記憶部１２３に記憶する（ステップＳ８１２）。
【０３４２】
次に、制御部３０１５は、記憶部１２３に記憶された、透明画像の指定情報と、表面効果の指定情報と、原稿データの生成要求と、をサーバ装置３０６０へ送信する（ステップＳ８１４）。
【０３４３】
次に、制御部３０１５では、サーバ装置３０６０から、原稿データを受け付ける（ステップＳ８１６）。そして、制御部３０１５は、サーバ装置３０６０から受け付けた原稿データを、記憶部１２３へ記憶する（ステップＳ８１８）。
【０３４４】
次に、表示制御部１２１が、上記ステップＳ８１８で記憶部１２３に記憶された原稿データを、表示処理部１５へ送信する（ステップＳ８２０）。表示処理部１５では、実施の形態１と同様にして、優先順位の付与された光沢制御版データを生成する。
【０３４５】
次に、制御部３０１５では、表示処理部１５の処理によって、光沢制御版データに優先順位が付与されたか否かを判断する（ステップＳ８２２）。ステップＳ８２２で肯定されると（ステップＳ８２２：Ｙｅｓ）、ステップＳ８２４へ進む。
【０３４６】
ステップＳ８２４では、制御部３０１５は、有色版データと、クリア版データと、表示処理部１５で生成された、優先情報を付与された光沢制御版データと、を含む原稿データを、印刷データ生成部２０へ送信する（ステップＳ８２４）。そして、本ルーチンを終了する。
【０３４７】
一方、ステップＳ８２２で否定判断した場合には（ステップＳ８２２：Ｎｏ）、ステップＳ８２６へ進む。ステップＳ８２６では、制御部３０１５は、有色版データと、クリア版データと、優先情報の付与されていない光沢制御版データと、を含む原稿データを、印刷データ生成部２０へ送信する（ステップＳ８２６）。そして、本ルーチンを終了する。
【０３４８】
次に、サーバ装置４０６０の原稿データ生成部３０６２で実行する処理を説明する。
【０３４９】
図３９は、第４の実施の形態にかかるサーバ装置３０６０による原稿データの生成処理の手順を示すフローチャートである。通信部３０６５が、ホスト装置１１０から原稿データの生成要求と画像指定情報と指定情報とを受信したら（ステップＳ３４０１）、原稿データ生成部３０６２は、まず、画像指定情報に基づいて、有色版データを生成する（ステップＳ３４０２）。
【０３５０】
次に、原稿データ生成部３０６２は、オペレーティングシステム等で提供される描画コマンドおよび描画コマンドで設定された座標値等を用いて、表面効果の指定情報により対象画像に対して表面効果が付与されたオブジェクトとその座標を特定する（ステップＳ３４０３）。
【０３５１】
次に、原稿データ生成部３０６２は、記憶部３０７０に保存されている濃度値選択テーブルを参照して、指定情報でユーザが付与した表面効果に対応する濃度値を決定する（ステップＳ３４０４）。
【０３５２】
そして、原稿データ生成部３０６２は、光沢制御版データ（当初は空データ）に、オブジェクトと、表面効果に対応して決定された濃度値とを対応付けて登録する（ステップＳ３４０５）。
【０３５３】
次に、原稿データ生成部３０６２は、有色版データに存在する全てのオブジェクトに対して上記ステップＳ３４０２からＳ３４０４までの処理を完了したか否かを判断する（ステップＳ３４０６）。そして、まだ完了していない場合には（ステップＳ３４０６：Ｎｏ）、原稿データ生成部３０６２は、有色版画像データ中でまだ未処理の次のオブジェクトを選択して（ステップＳ３４０７）、ステップＳ３４０３からＳ３４０５までの処理を繰り返し実行する。
【０３５４】
そして、ステップ３４０６において、有色版画像データの全てのオブジェクトに対してステップＳ３４０３からＳ３４０５までの処理を完了したと判断された場合には（ステップＳ３４０６：Ｙｅｓ）、光沢制御版データの生成を完了する。
【０３５５】
次に、原稿データ生成部３０６２は、指定情報の中の透明画像の指定に基づいて、クリア版データを生成する（ステップＳ３４０８）。
【０３５６】
そして、原稿データ生成部３０６２は、有色版データ、光沢制御版データ、クリア版データを統合した原稿データを生成する（ステップＳ３４０９）。そして、原稿データ生成部３０６２は、生成した原稿データを、ホスト装置１１０に送信する（ステップＳ３４１０）。そして、本ルーチンを終了する。
【０３５７】
なお、その他の構成については、第１の実施の形態と同様に行われる。
【０３５８】
このように本実施の形態では、原稿データの生成を、クラウド上のサーバ装置３０６０で行っているので、実施の形態１の効果の他、複数のホスト装置３０１０やホスト装置１１０が存在する場合でも、原稿データの生成を一括して行うことができ、管理者の便宜となる。
【０３５９】
なお、本実施の形態では、クラウド上の単一のサーバ装置３０６０に、原稿データ生成部３０６２を設けた構成としたが、これに限定されるものではない。
【０３６０】
例えば、クラウド上に２以上のサーバ装置を設け、上記各処理を、２以上のサーバ装置で分散させて実行するように構成してもよい。図４１は、クラウド上に２つのサーバ（第１サーバ装置３８６０と第２サーバ装置３８６１）を設けたネットワーク構成図である。図４１の例では、第１サーバ装置３８６０と第２サーバ装置３８６１とで、原稿データの生成を、分散して行うように構成する。
【０３６１】
なお、各処理の各サーバ装置への分散の形態はこれに限定されるものではなく、任意に行うことができる。
【０３６２】
すなわち、ホスト装置１１０に入力部９９Ａ、入力制御部１２４、画像処理部１２０、表示制御部１２１、表示部９９Ｂ等の最低限の構成を設ければ、各処理の一部または全部をクラウド上の一つのサーバ装置に集中して設けたり、複数のサーバ装置に分散させて設けたりすることは任意に行うことができる。
【０３６３】
言い換えると、上述の例のように、一の装置で行っていた複数の処理のいずれかを、一の装置とネットワークを介して接続する１以上の他の装置で行う構成にすることができる。
【０３６４】
また、上記の「一の装置とネットワークを介して接続する１以上の他の装置で行う構成」の場合、一の装置で行われた処理で発生したデータ（情報）を一の装置から他の装置に出力する処理、そのデータを他の装置が入力する処理等、一の装置と他の装置間、さらには、他の装置間同士で行われるデータの入出力処理を含むような構成となる。
【０３６５】
つまり、他の装置が１つの場合では、一の装置と他の装置間で行われるデータの入出力処理を含むような構成となり、他の装置が２以上の場合では、一の装置と他の装置間、及び、第一の他の装置・第二の他の装置間のように他の装置間同士でデータの入出力処理を含むような構成となる。
【０３６６】
また、本実施の形態では、サーバ装置３０６０、あるいは第１サーバ装置３８６０および第２サーバ装置３８６１などの複数のサーバ装置を、クラウド上に設けているが、これに限定されるものではない。例えば、サーバ装置３０６０、あるいは第１サーバ装置３８６０および第２サーバ装置３８６１などの複数のサーバ装置を、イントラネット上に設ける等、あらゆるネットワーク上に設けた構成としてもよい。
【０３６７】
次に、上述した実施の形態のホスト装置１１、１１Ａ、１１Ｂ、１１０、ＤＦＥ３０、３０Ａ、３０Ｂ、サーバ装置３０６０、第１サーバ装置３８６０、第２サーバ装置３８６１のハードウェア構成について説明する。図４１は、ホスト装置１１、１１Ａ、１１Ｂ、１１０、ＤＦＥ３０、３０Ａ、３０Ｂ、サーバ装置３０６０、第１サーバ装置３８６０、第２サーバ装置３８６１のハードウェア構成図である。ホスト装置１１、１１Ａ、１１Ｂ、１１０、ＤＦＥ３０、３０Ａ、３０Ｂ、サーバ装置３０６０、第１サーバ装置３８６０、第２サーバ装置３８６１は、ハードウェア構成として、装置全体を制御するＣＰＵなどの制御装置１０１０と、各種データや各種プログラムを記憶するＲＯＭやＲＡＭなどの主記憶装置１０２０と、各種データや各種プログラムを記憶するＨＤＤなどの補助記憶装置１０３０と、キーボードやマウス等の入力装置１０５０と、ディスプレイ装置等の表示装置１０４０とを主に備えており、通常のコンピュータを利用したハードウェア構成となっている。
【０３６８】
上記実施の形態のホスト装置１１、１１Ａ、１１Ｂ、１１０、ＤＦＥ３０、３０Ａ、３０Ｂ、サーバ装置３０６０、第１サーバ装置３８６０、第２サーバ装置３８６１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータプログラムプロダクトとして提供される。
【０３６９】
また、上記実施の形態のホスト装置１１、１１Ａ、１１Ｂ、１１０、ＤＦＥ３０、３０Ａ、３０Ｂ、サーバ装置３０６０、第１サーバ装置３８６０、第２サーバ装置３８６１で実行されるプログラムを、インターネット等のネットワークに接続されたコンピュータ上に格納し、ネットワーク経由でダウンロードさせることにより提供するように構成しても良い。また、上記実施の形態のホスト装置１１、１１Ａ、１１Ｂ、１１０、ＤＦＥ３０、３０Ａ、３０Ｂ、サーバ装置３０６０、第１サーバ装置３８６０、第２サーバ装置３８６１で実行されるプログラムをインターネット等のネットワーク経由で提供または配布するように構成しても良い。
【０３７０】
また、上記実施の形態のホスト装置１１、１１Ａ、１１Ｂ、１１０、ＤＦＥ３０、３０Ａ、３０Ｂ、サーバ装置３０６０、第１サーバ装置３８６０、第２サーバ装置３８６１で実行される画像処理プログラムを、ＲＯＭ等に予め組み込んで提供するように構成してもよい。
【０３７１】
上記実施の形態のホスト装置１１、１１Ａ、１１Ｂ、１１０、ＤＦＥ３０、３０Ａ、３０Ｂ、サーバ装置３０６０、第１サーバ装置３８６０、第２サーバ装置３８６１で実行されるプログラムは、上述した各部を含むモジュール構成となっており、実際のハードウェアとしてはＣＰＵ（プロセッサ）が上記記憶媒体からプログラムを読み出して実行することにより上記各部が主記憶装置上にロードされ、上記各部が主記憶装置上に生成されるようになっている。
【０３７２】
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【０３７３】
上述した実施の形態において、情報処理システムは、ホスト装置１１、１１Ａ、１１Ｂ、１１０、ＤＦＥ３０、３０Ａ、３０Ｂ、ＭＩＣ４０、プリンタ機５０、グロッサ７０、通常定着後処理装置８０、及び低温定着後処理装置９０を備えるように構成したが、これに限らない。例えば、ＤＦＥ３０、３０Ａ、３０Ｂ、ＭＩＣ４０、プリンタ機５０を一体的に形成して１つの画像形成装置として構成するようにしても良いし、更に、グロッサ７０、通常定着後処理装置８０、及び低温定着後処理装置９０の内の少なくとも１つを備えた画像形成装置として形成するようにしても良い。
【０３７４】
上述した実施の形態の情報処理システムにおいては、ＣＭＹＫの複数の色のトナーを用いて画像を形成するようにしたが、１色のトナーを用いて画像を形成するようにしても良い。
【０３７５】
なお、上述した実施の形態のプリンタシステムは、ＭＩＣ４０を備えた構成としているが、これに限定されるものではない。上述したＭＩＣ４０が行う処理、機能をＤＦＥ３０等の他の装置にもたせて、ＭＩＣ４０を設けない構成としてもよい。
【符号の説明】
【０３７６】
１００、１００Ａ、１００Ｂ、１００Ｃ、１００Ｄ、１００Ｅ  情報処理システム
１２、１２Ａ、１２Ｂ  情報処理装置
１１、１１Ａ、１１０  ホスト装置
３０、３０Ａ、３０Ｂ  ＤＦＥ
１０８Ａ、６０８２  クリアトナー版生成部
２００Ｉ、６０８０Ｃ  優先情報付与部
２００Ｋ  受付部
６０８６  ＵＩ部
【先行技術文献】
【特許文献】
【０３７７】
【特許文献１】特開２０１１−１２３４７３号公報
【図１】
0005928113.tif 000002
【図２】
0005928113.tif 000003
【図３】
0005928113.tif 000004
【図４】
0005928113.tif 000005
【図５】
0005928113.tif 000006
【図６】
0005928113.tif 000007
【図７】
0005928113.tif 000008
【図８】
0005928113.tif 000009
【図１０】
0005928113.tif 000010
【図１１】
0005928113.tif 000011
【図１２】
0005928113.tif 000012
【図１３】
0005928113.tif 000013
【図１４】
0005928113.tif 000014
【図１５】
0005928113.tif 000015
【図１６】
0005928113.tif 000016
【図１７】
0005928113.tif 000017
【図１８】
0005928113.tif 000018
【図１９】
0005928113.tif 000019
【図２０】
0005928113.tif 000020
【図２１】
0005928113.tif 000021
【図２２】
0005928113.tif 000022
【図２３】
0005928113.tif 000023
【図２４】
0005928113.tif 000024
【図２５】
0005928113.tif 000025
【図２６】
0005928113.tif 000026
【図２７】
0005928113.tif 000027
【図２８】
0005928113.tif 000028
【図２９】
0005928113.tif 000029
【図３０】
0005928113.tif 000030
【図３１】
0005928113.tif 000031
【図３２】
0005928113.tif 000032
【図３３】
0005928113.tif 000033
【図３４】
0005928113.tif 000034
【図３５】
0005928113.tif 000035
【図３６】
0005928113.tif 000036
【図３７】
0005928113.tif 000037
【図３８】
0005928113.tif 000038
【図３９】
0005928113.tif 000039
【図４０】
0005928113.tif 000040
【図４１】
0005928113.tif 000041
【図９】
0005928113.tif 000042